(57)【要約】化合物に対する、耐性などの応答を予測するためのバイオマーカーとしてのホスホＡｋｔの使用であって、ここで、ホスホＡｋｔが、一つまたは複数の残基上でリン酸化されているＡｋｔであり、但し、Ａｋｔ１、Ａｋｔ２、およびＡｋｔ３について、ホスホＡｋｔと言う名称は、それぞれＴ３０８、Ｔ３０９またはＴ３０５以外の部位でのリン酸化を示すために使用され、ここで、その化合物は、一般式Ｉ［式中、Ｒは、フェニル、チエニルまたはピリジニルを表し、ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、シアノ、ハロゲン、およびニトロより独立して選択される１または２個の置換基によって場合により置換されており；ここで、２個の隣接する置換基は、メチレンジオキシであり；ここで、ピリジニルは、低級アルコキシ、アミノまたはハロゲンによって場合により置換されており；Ｘは、基Ｃ＝Ｙを表し（式中、Ｙは、酸素、またはヒドロキシもしくは低級アルコキシによって置換された窒素を表す）；Ｒ１は、水素、低級アルキルカルボニル、ヒドロキシ低級アルキルまたはシアノ低級アルキルを表し；Ｒ２、Ｒ３およびＲ６は、水素を表し；Ｒ４およびＲ５は、互いに独立して、水素、低級アルキルもしくは低級アルコキシを表すか；または、Ｒ４とＲ５は、一緒になってメチレンジオキシを表す；あるいは式中、Ｒは、フェニルまたはピリジニルを表し、ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、ホルミル、シアノ、ハロゲン、およびニトロより独立して選択される１または２個の置換基によって場合により置換されており；ここで、２個の隣接する置換基は、メチレンジオキシであり；ここで、ピリジニルは、低級アルコキシ、アミノまたはハロゲンによって場合により置換されており；Ｘは、酸素を表し；Ｒ１は、水素、低級アルキルカルボニル、ヒドロキシ低級アルキルまたはシアノ低級アルキルを表し；Ｒ２、Ｒ３およびＲ６は、水素を表し；Ｒ４およびＲ５は、互いに独立して、水素、低級アルキルもしくは低級アルコキシを表すか；または、Ｒ４とＲ５は、一緒になっ��メチレンジオキシを表す］で示される化合物および薬学的に許容されうるその誘導体である、使用。これらの化合物を用いた腫瘍性疾患および自己免疫疾患の処置方法も開示される。
2014512001.tif 000002
【特許請求の範囲】
【請求項１】
化合物に対する応答を予測するためのバイオマーカーとしてのホスホＡｋｔの使用であって、ここで、ホスホＡｋｔが、一つまたは複数の残基でリン酸化されているＡｋｔであり、但し、名称ホスホＡｋｔは、Ａｋｔ１、Ａｋｔ２、およびＡｋｔ３について、それぞれＴ３０８、Ｔ３０９またはＴ３０５以外の部位でのリン酸化を示すために使用され、ここで、該化合物は、一般式Ｉ
【化２２】
2014512001.tif 000037
［式中、
Ｒは、フェニル、チエニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、該窒素と一緒になってヘテロシクリルを形成している）、低級アルキルカルボニル、カルボキシ、低級アルコキシカルボニル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、基Ｃ＝Ｙを表し（式中、Ｙは、酸素、またはヒドロキシもしくは低級アルコキシによって置換された窒素を表す）；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は、一緒になってメチレンジオキシを表す］
で示される化合物および薬学的に許容されうるその誘導体、
あるいは［式中、
Ｒは、フェニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、該窒素と一緒になってヘテロシクリルを形成している）、低級アルキルカルボニル、カルボキシ、低級アルコキシカルボニル、ホルミル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、酸素を表し；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は一緒になってメチレンジオキシを表す］
で示される化合物および薬学的に許容されうるその誘導体であり、
ここで、接頭辞「低級」は、炭素原子を最大７個、特に最大４個有する基を意味する、使用。
【請求項２】
応答が、対象における疾患の応答であり、バイオマーカーであるホスホＡｋｔが、ヒトまたは動物の体から採取された、好ましくはヒトの体から採取された一つまたは複数の試料においてエキソビボで測定される、請求項１記載の使用。
【請求項３】
化合物が、一般式Ｉ
［式中、
Ｒは、フェニルまたはピリジニルを表し、
ここで、フェニルは、低級アルキル、低級アルコキシ、アミノ、アセチルアミノ、ハロゲンおよびニトロより独立して選択される１または２個の置換基によって場合により置換されており；
ここで、ピリジニルは、アミノまたはハロゲンによって場合により置換されており；
Ｘは、基Ｃ＝Ｏを表し；
Ｒ１は、水素またはシアノ低級アルキルを表し；
Ｒ２、Ｒ３、Ｒ４、Ｒ５およびＲ６は、水素を表す］
で示される化合物および薬学的に許容されうるその誘導体であり、ここで、接頭辞「低級」は、炭素原子を最大７個、特に最大４個有する基を意味する、請求項１または２記載の使用。
【請求項４】
化合物が、次式
【化２３】
2014512001.tif 000038
［式中、Ｒ、ＹおよびＲ１は、以下のように定義される］
【表９】
2014512001.tif 000039
または薬学的に許容されうるその誘導体によって表される、請求項１〜３のいずれか一項記載の使用。
【請求項５】
化合物が、
【化２４】
2014512001.tif 000040
または薬学的に許容されうるその誘導体である、請求項１〜４のいずれか一項記載の使用。
【請求項６】
薬学的に許容されうる誘導体が、請求項１〜５のいずれか一項と同義の一般式Ｉで示される化合物の塩、溶媒和物、プロドラッグ、プロドラッグの塩、多形および異性体から成る群より選択される、請求項１〜５のいずれか一項記載の使用。
【請求項７】
プロドラッグが、請求項１〜５のいずれか一項と同義の一般式Ｉで示される化合物のＲ基内に存在するアミノ基と、グリシン、アラニンまたはリシンのカルボキシ基とから形成されるアミドである、請求項６記載の使用。
【請求項８】
化合物が、
【化２５】
2014512001.tif 000041
または薬学的に許容されうるその塩、好ましくはその塩酸塩、最も好ましくはその二塩酸塩である、請求項１〜７のいずれか一項記載の使用。
【請求項９】
化合物に対する対象における疾患の耐性を予測するための、請求項１〜８のいずれか一項記載の使用。
【請求項１０】
ホスホＡｋｔが、以下のセリン残基上でリン酸化されているＡｋｔである、請求項１〜９のいずれか一項記載の使用：
Ａｋｔ１について：Ｓ４７３；
Ａｋｔ２について：Ｓ４７４；および
Ａｋｔ３について：Ｓ４７２。
【請求項１１】
疾患が、乳ガン、前立腺ガン、子宮頸ガン、卵巣ガン、胃ガン、結腸直腸ガン、膵臓ガン、肝臓ガン、悪性脳腫瘍、神経内分泌ガン、肺ガン、腎臓ガン、血液悪性腫瘍、メラノーマおよび肉腫から成る群より選択され、好ましくは、ガンが、乳ガン、子宮頸ガン、胃ガン、肺ガン、結腸直腸ガンおよびメラノーマから成る群より選択され、特に好ましくは、ガンが、胃ガン、結腸直腸ガン、肺ガンおよびメラノーマから成る群より選択される、請求項２〜１０のいずれか一項記載の使用。
【請求項１２】
標準値または標準値のセットに比べてより高い、対象からの試料中のホスホＡｋｔレベルが、耐性を予測する、請求項２〜１１のいずれか一項記載の使用。
【請求項１３】
ｉ）同じ腫瘍組織型を有する対象からの標準値もしくは標準値のセットに比べて；または
ｉｉ）正常組織からの標準値もしくは標準値のセットに比べて、
より高い、一つまたは複数の試料中のホスホＡｋｔレベルが、耐性を予測する、請求項１２記載の使用。
【請求項１４】
バイオマーカーが、請求項１〜８のいずれか一項と同義の一般式Ｉで示される化合物または薬学的に許容されうるその誘導体を用いた処置のために、疾患、好ましくはガンを患うまたは患いやすい対象を選択するために使用される、請求項１〜１３のいずれか一項記載の使用。
【請求項１５】
試料が、腫瘍組織、正常組織、細胞系または循環腫瘍細胞に由来し、好ましくは、該試料が腫瘍組織に由来する、請求項２〜１４のいずれか一項記載の使用。
【請求項１６】
請求項１〜８のいずれか一項と同義の一般式Ｉで示される化合物または薬学的に許容されうるその誘導体に対する、対象における疾患の応答を予測するための方法であって：
ａ）該対象から予め入手された試料中の、請求項１または請求項１０と同義のホスホＡｋｔのレベルを測定して、このレベルを表す一つまたは複数の値を得る工程；および
ｂ）工程ａ）からの該一つまたは複数の値を標準値または標準値のセットと比較する工程
を含む方法。
【請求項１７】
予測される応答が耐性であり、ホスホＡｋｔレベルの測定が、対象から予め入手された試料からエキソビボで行われる、請求項１６記載の方法。
【請求項１８】
標準値または標準値のセットに比べてより高い、対象からの試料中のホスホＡｋｔレベルが、耐性を予測する、請求項１６または１７記載の方法。
【請求項１９】
腫瘍性疾患または自己免疫疾患、好ましくはガンの処置を必要とする対象での該処置の方法であって、該対象からの試料中の請求項１と同義のホスホＡｋｔのレベルを測定して、このレベルを表す一つまたは複数の値を得ること、および該試料中のホスホＡｋｔレベルが標準値または標準値のセット以下であるならば、請求項１〜８のいずれか一項と同義の一般式Ｉで示される化合物または薬学的に許容されうるその誘導体を用いて該対象を処置することを含む、方法。
【請求項２０】
対象からの試料中の請求項１と同義のホスホＡｋｔのレベルを測定して、このレベルを表す一つまたは複数の値を得ること、およびホスホＡｋｔのレベルが、標準値または標準値のセット以下であるならば、請求項１〜８のいずれか一項と同義の一般式Ｉで示される化合物または薬学的に許容されうるその誘導体を用いて該対象を処置することを含む、腫瘍性疾患または自己免疫疾患、好ましくはガンの処置に使用するためのホスホＡｋｔ。
【請求項２１】
最初に、標準レベルまたは標準レベルのセットに比べてより高いホスホＡｋｔレベルの試料を有する対象において、請求項１と同義のホスホＡｋｔのレベルを減少させること、次に、請求項１〜８のいずれか一項と同義の一般式Ｉで示される化合物または薬学的に許容されうるその誘導体を用いて該対象を処置することによって、腫瘍性疾患または自己免疫疾患、好ましくはガンを処置する方法。
【請求項２２】
試料中の請求項１と同義のホスホＡｋｔのレベルを測定するために必要な試薬を含み、好ましくは該試料中のホスホＡｋｔレベルが比較される標準値または標準値のセットを含むコンパレーターモジュールをさらに含む、請求項１〜８のいずれか一項と同義の一般式Ｉで示される化合物または薬学的に許容されうるその誘導体に対する応答を予測するためのキット。
【請求項２３】
試薬が、ホスホＡｋｔ用の検出体を含む捕捉試薬、および検出体試薬を含み、好ましくはここで、捕捉試薬が抗体である、請求項２２記載のキット。
【請求項２４】
次式で示される化合物または薬学的に許容されうるその塩、特に二塩酸塩を含む、請求項２２または２３記載のキット
【化２６】
2014512001.tif 000042
【請求項２５】
試料中の請求項１と同義のホスホＡｋｔのレベルを測定するために必要な試薬、および該試料中のホスホＡｋｔレベルが比較される標準値または標準値のセットを含むコンパレーターモジュールを含む、請求項１〜８のいずれか一項と同義の一般式Ｉで示される化合物または薬学的に許容されうるその誘導体に対する応答を予測するための装置。
【発明の詳細な説明】
【技術分野】
【０００１】
本発明は、３−（４−｛１−［２−（４−アミノ−フェニル）−２−オキソ−エチル］−１Ｈ−ベンゾイミダゾール−２−イル｝−フラザン−３−イルアミノ）−プロピオニトリル（ＢＡＬ２７８６２）などの、一般式Ｉで示される化合物に対する腫瘍性疾患または自己免疫疾患などの疾患の、好ましくはガンの、応答を予測するためのバイオマーカーとしてのホスホＡｋｔの使用に関する。他の局面では、本発明は、方法およびキット、ならびにバイオマーカーの使用を伴う処置方法に関する。
【０００２】
微小管は、細胞骨格の構成要素の一つであり、α−チューブリンおよびβ−チューブリンのヘテロ二量体から構成される。微小管をターゲティングする薬剤は、広い活性スペクトルを有する、最も有効な細胞毒性化学療法剤に属する。微小管不安定化剤（例えば、ビンクリスチン、ビンブラスチンおよびビノレルビンなどのビンカアルカロイド）は、例えば、リンパ芽球性白血病およびリンパ腫のような数種の血液悪性腫瘍、ならびに肺ガンなどの固形腫瘍の処置に使用される。微小管安定化剤（例えば、パクリタキセル、ドセタキセルなどのタキサン）は、例えば、乳ガン、肺ガンおよび前立腺ガンを含めた固形腫瘍の処置に使用される。
【０００３】
しかし、これらの公知の微小管ターゲティング剤に対する耐性が発生するおそれがある。耐性は、固有であるか、またはこれらの薬剤に曝露後に獲得されるかのいずれかでありうる。したがって、そのような耐性は、患者の生存率および処置計画の選択に影響する。いくつかの潜在的な耐性メカニズムが同定されており、それらには、β−チューブリンサブタイプＩＩＩのレベル上昇、およびタキサンの結合を減少させることが知られているβ−チューブリンサブタイプＩの後天性突然変異などの、微小管ターゲットの異常が含まれる。そのうえ、流出ポンプＰ−糖タンパク質（Ｐ−ｇｐ、多剤耐性タンパク質１またはＭＤＲ１としても知られている）の過剰発現などの、他の細胞タンパク質の異常が、ある種の微小管ターゲティング剤に対する耐性と関連することが示唆されている。それで、そのような因子は、これらの従来の微小管ターゲティング剤に対する耐性のバイオマーカーとして使用されうる。
【０００４】
比較的最近に発見されたクラスの微小管不安定化剤は、次式：
【化１】
2014512001.tif 000003
［式中、
Ｒは、フェニル、チエニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、シアノ、ハロゲン、およびニトロより独立して選択される１または２個の置換基によって場合により置換されており；
ここで、２個の隣接する置換基は、メチレンジオキシであり；
ここで、ピリジニルは、低級アルコキシ、アミノまたはハロゲンによって場合により置換されており；
Ｘは、基Ｃ＝Ｙを表し（式中、Ｙは、酸素、またはヒドロキシもしくは低級アルコキシによって置換された窒素を表す）；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は、一緒になってメチレンジオキシを表す］
で示される化合物および薬学的に許容されうるその誘導体、
あるいは［式中、
Ｒは、フェニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、ホルミル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、酸素を表し；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は一緒になってメチレンジオキシを表す］
によって包含される化合物および薬学的に許容されうるその塩であり；
ここで、接頭辞「低級」は、炭素原子を最大７個、特に最大４個有する基を意味する。
【０００５】
これらの化合物は、国際公開公報第２００４／１０３９９４Ａ１号に開示されており、この公報は、相互参照により本明細書に組み入れられる。これらの化合物は、腫瘍細胞の増殖を停止させ、アポトーシスを誘導することが示されている。
【０００６】
式Ｉで示される化合物の合成は、国際公開公報第２００４／１０３９９４Ａ１号の、全般に２９〜３５ページ、具体的に３９〜５５ページに記載されており、その公報は、相互参照により本明細書に組み入れられる。これらの化合物は、本明細書開示のように、または本明細書記載の工程に類似の方法により調製することができる。
【０００７】
ＢＡＬ２７８６２として知られ、国際公開公報第２００４／１０３９９４Ａ１号に実施例５８として示され、参照により本明細書に具体的に組み入れられる、このクラスに属する一化合物は、下記の構造および化学名を有する：
【０００８】
【化２】
2014512001.tif 000004
化学名：３−（４−｛１−［２−（４−アミノ−フェニル）−２−オキソ−エチル］−１Ｈ−ベンゾイミダゾール−２−イル｝−フラザン−３−イルアミノ）−プロピオニトリル；または本明細書では化合物Ａ。
【０００９】
国際公開公報第２００４／１０３９９４Ａ１号にそれぞれ実施例５０および７９として例示されており、相互参照により本明細書に具体的に組み入れられるさらなる化合物は、下記の構造および化学名を有する：
【００１０】
【化３】
2014512001.tif 000005
化学名：２−［２−（４−アミノ−フラザン−３−イル）−ベンゾイミダゾール−１−イル］−１−（４−アミノ−フェニル）−エタノン；または本明細書では化合物Ｂ
および
【化４】
2014512001.tif 000006
化学名：３−（４−｛１−［２−（６−アミノ−ピリジン−３−イル）−２−オキソ−エチル］−１Ｈ−ベンゾイミダゾール−２−イル｝−フラザン−３−イルアミノ）−プロピオニトリル；または本明細書では化合物Ｃ。
【００１１】
ＢＡＬ２７８６２は、実験的固形腫瘍異種移植モデルの広いパネルにわたり活性を有する。そのうえ、従来の微小管ターゲティング剤（ビンカアルカロイド微小管不安定化剤および微小管安定化剤パクリタキセルエポチロンＢを含む）に対する耐性について選択される腫瘍モデルに対しても、活性は、保持される。in vitroで試験されたどのモデルでも、ヒト乳房腫瘍異種移植片でも、ＢＡＬ２７８６２活性は、Ｐ−ｇｐポンプの過剰発現によって影響されない。追加的に、β−チューブリンサブタイプＩＩＩのレベル上昇およびチューブリンサブタイプＩでの突然変異にもかかわらず、ＢＡＬ２７８６２はその活性を保持した。
【００１２】
したがって、ＢＡＬ２７８６２活性は、従来の微小管ターゲティング剤に対する耐性を付与するいくつかの因子によって影響されない。
【００１３】
そのうえ、一般式Ｉで示される化合物は、他の微小管不安定化剤を含めた他の微小管ターゲティング剤に比べて、細胞表現型に異なる作用を及ぼすことが知られている。図１に示すように、一般式Ｉで示される化合物を用いた処置は、多様な器官、例えば肺、子宮頸部および乳房から得られた腫瘍細胞系に一貫した微小管表現型を誘導する。抗α−チューブリン抗体を用いてこれらの細胞内の微小管を染色すると、未処置細胞の紡錘糸ではなく、処置細胞ではドット様構造だけが認識できることが示される。肺ガン細胞系Ａ５４９に関しても、化合物ＣおよびＢを使用してそれぞれ図２Ａおよび２Ｂに、まさにこの作用が示される。しかし、それは、図３Ｂ、３Ｃ、３Ｄおよび４にそれぞれ示されるような、従来の微小管ターゲティング剤ビンブラスチン、コルヒチン、パクリタキセルおよびノコダゾールで観察された作用とは非常に異なる。微小管を抗α−チューブリン抗体で染色し、細胞を倍率１０００倍で検査した（図３、４）。ＢＡＬ２７８６２で処置された細胞について、多数のドット様構造が認識でき、一方、全く対照的に、他方の従来薬は、線維状微小管構造または密な微小管集合体構造を作った。表現型レベルでのこれらの差異は、抗増殖作用に関して最適と見なされる化合物用量で、分子レベルでの作用機作が異なることを示している。
【００１４】
さらに、ＢＡＬ２７８６２は、他の微小管ターゲティング剤の存在下で微小管の優性表現型を引き出すことが知られている。ビンブラスチン、コルヒチン、パクリタキセルまたはノコダゾール単独を用いた処置は、これらの薬剤に特徴的な微小管表現型を誘導した（それぞれ図５Ａ、５Ｄ、５Ｇ、６Ｃ〜６Ｆ）。しかし、最後の４時間にＢＡＬ２７８６２と組み合わせ処置する結果、ビンブラスチン、コルヒチン、パクリタキセルまたはノコダゾールが持続して存在するにもかかわらず、これらの表現型の破壊が生じた（それぞれ図５Ｂ、５Ｅ、５Ｈ、６Ｇ〜６Ｊ）。対照的に、最初にＢＡＬ２７８６２で処置し、続いてビンブラスチン、コルヒチン、パクリタキセルまたはノコダゾールと組み合わせて４時間処置しても、ＢＡＬ２７８６２処置に一致する表現型の発生は影響を受けなかった（それぞれ図５Ｃ、５Ｆ、５Ｉ、６Ｋ〜６Ｎ）。
【００１５】
これらのデータは、全て、ＢＡＬ２７８６２が従来の微小管ターゲティング剤と異なる方法で微小管の生物学的性質に影響することを実証している。
【００１６】
したがって、従来の微小管ターゲティング剤に関する情報から、特定の遺伝子が一般式Ｉで示される化合物の作用に関与するかどうか、またはどのように関与するかについて予測することはできない。
【００１７】
本発明の目的は、式Ｉで示される化合物または薬学的に許容されうるその誘導体に対する応答に関連する因子を同定すること、例えば、下記に同地の一般式Ｉで示される化合物、特にＢＡＬ２７８６２または薬学的に許容されうるその誘導体に対する耐性に関連する因子を同定することである。
【００１８】
驚くことに、ホスホＡｋｔが、下記と同義の一般式Ｉで示される化合物または薬学的に許容されうるその誘導体を用いた処置に対する応答のバイオマーカーとして使用できることが見出された。
【００１９】
本発明の好ましい一態様では、腫瘍試料中の比較的高いホスホＡｋｔレベルが、ＢＡＬ２７８６２に対する固有の耐性に関連する。
【００２０】
今日までのところ、Ａｋｔファミリーは、アイソフォームＡｋｔ１、Ａｋｔ２およびＡｋｔ３とも呼ばれる３種の公知の遺伝子から成る。これらの遺伝子は、核酸レベルおよびポリペプチド配列レベルで相同である。Ａｋｔ遺伝子は、異なるグループがそれらを発見したことを反映して、多様な代替名でも知られている。Ａｋｔという名は、それがトランスフォーミングレトロウイルスＡＫＴ８のガン原遺伝子のヒト相同体として発見されたことから生じた。Ａｋｔは、これらのＡｋｔタンパク質がプロテインキナーゼＡ（ＰＫＡ）およびプロテインキナーゼＣ（ＰＫＣ）と密接に関係することから、プロテインキナーゼＢ、またはＲＡＣ（Related to A and C kinases）としても知られている。このように、Ａｋｔファミリーは、以下の異名、すなわちｃ−ＡＫＴ；ガン原遺伝子ｃ−Ａｋｔ；プロテインキナーゼＢ；ＰＫＢ；ＲＡＣ；ＲＡＣセリン／トレオニンプロテインキナーゼ；ｒａｃプロテインキナーゼおよびＲＡＣ−ＰＫによって知られている。最初に発見された遺伝子であるＡｋｔ１は、ｃ−ＡＫＴ１；ＰＫＢ；ＰＫＢ−α；ＰＲＫＢＡ；ＲＡＣ；ＲＡＣ−αセリン／トレオニン−プロテインキナーゼ；ＲＡＣ−α；ＲＡＣ−ＰＫ−αおよびＭＧＣ９９６５６としても知られている。Ａｋｔ２は、プロテインキナーゼＡｋｔ−２；プロテインキナーゼＢβ；ＰＫＢβ；ＰＲＫＢＢ；ＲＡＣ−β；ＲＡＣ−βセリン／トレオニンプロテインキナーゼおよびＲＡＣ−ＰＫ−βとしても知られている。Ａｋｔ３は、ＰＫＢ−γ；ＰＫＢＧ；ＰＲＫＢＧ；ＲＡＣ−γセリン／トレオニンプロテインキナーゼ；ＲＡＣ−γ；ＲＡＣ−ＰＫ−γ；ＤＫＦＺＰ４３４Ｎ０２５０およびＳＴＫ−２としても知られている。これらの遺伝子のいくつかについて、選択的スプライス転写変異体も見出されている。Ａｋｔ３について、別個のアイソフォーム、すなわち長さが異なるＲＡＣ−γセリン／トレオニンプロテインキナーゼアイソフォーム１およびＲＡＣ−γセリン／トレオニンプロテインキナーゼアイソフォーム２をコードする選択的スプライス転写変異体が記載されている。名称Ａｋｔは、本明細書において、３種の関連タンパク質Ａｋｔ１、Ａｋｔ２、Ａｋｔ３およびアイソフォームを含めた上記全ての異名を包含するように使用されるものとする。
【００２１】
Ａｋｔは、１個または複数の部位でのリン酸化によるものを含めて、翻訳後修飾されている場合がある。例えば、Ａｋｔ１は、Ｓｅｒ−１２４、Ｔｈｒ−３０８、Ｔｈｒ−４５０、およびＳｅｒ−４７３でリン酸化できることが知られている。１個よりも多い部位が同時にリン酸化されている場合がある。Ａｋｔの機能の調節は、特に２個の部位：トレオニン：Ｔ３０８（Ａｋｔ１）、Ｔ３０９（Ａｋｔ２）、Ｔ３０５（Ａｋｔ３）、およびセリン：Ｓ４７３（Ａｋｔ１）、Ｓ４７４（Ａｋｔ２）、Ｓ４７２（Ａｋｔ３）のリン酸化に関して確認されている。
【００２２】
ホスホイノシチド依存性キナーゼ１（ＰＤＫ１）は、トレオニン３０８をリン酸化すると考えられる。一方、ｍＴＯＲ複合体２（ｍＴＯＲＣ２）は、Ａｋｔ１のセリン４７３をリン酸化すると考えられることから、最近になってＰＤＫ２として同定された。
【００２３】
本明細書に使用されるホスホＡｋｔは、１個または複数の残基上でリン酸化されているＡｋｔを表すものとするが、但し、名称ホスホＡｋｔは、Ａｋｔ１、Ａｋｔ２、およびＡｋｔ３について、それぞれＴ３０８、Ｔ３０９またはＴ３０５以外の部位でリン酸化されていることを示すために使用される。これをさらに理解しやすくすると、ホスホＡｋｔは、それぞれＡｋｔ１、Ａｋｔ２およびＡｋｔ３について、Ｔ３０８、Ｔ３０９またはＴ３０５でリン酸化されていても、されていなくてもよいが、名称ホスホＡｋｔは、これら以外の部位でリン酸化されていることを示す。ホスホＡｋｔは、場合により、リン酸化以外の方法でも翻訳後修飾されうる。
【００２４】
より好ましくは、ホスホＡｋｔは、以下のセリン残基でリン酸化されているＡｋｔを表すものとする：
Ａｋｔ１について：Ｓ４７３；
Ａｋｔ２について：Ｓ４７４；および
Ａｋｔ３について：Ｓ４７２。
【００２５】
したがって、この好ましい態様は、ＲＡＣ−γセリン／トレオニンプロテインキナーゼアイソフォーム２によってコードされるＡｋｔ３を包含しない（Ａｋｔ３がセリン４７２を有さないことから）。
【００２６】
ヒトＡｋｔ１、Ａｋｔ２およびＡｋｔ３をコードするタンパク質配列は、National Center for Biotechnology Information（ＮＣＢＩ）アクセッションナンバーを介して入手可能である。
Ａｋｔ１：ＮＰ＿００５１５４．２、配列番号１参照（ＮＰ＿００１０１４４３１およびＮＰ＿００１０１４４３２も参照）、
Ａｋｔ２：ＮＰ＿００１６１７．１、配列番号２参照、および
Ａｋｔ３：ＮＰ＿００５４５６．１：ＲＡＣ−γセリン／トレオニンプロテインキナーゼアイソフォーム１、配列番号３参照。
【００２７】
本発明の一局面は、化合物に対する応答を予測するためのバイオマーカーとしてのホスホＡｋｔの使用に関し、
ここで、ホスホＡｋｔは、１個または複数の残基上でリン酸化されているＡｋｔであり、但し、名称ホスホＡｋｔは、Ａｋｔ１、Ａｋｔ２、およびＡｋｔ３について、それぞれＴ３０８、Ｔ３０９またはＴ３０５以外の部位でリン酸化されていることを示すために使用され、
ここで、化合物は、一般式Ｉ
【化５】
2014512001.tif 000007
［式中、
Ｒは、フェニル、チエニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、基Ｃ＝Ｙを表し（式中、Ｙは、酸素、またはヒドロキシもしくは低級アルコキシによって置換された窒素を表す）；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は、一緒になってメチレンジオキシを表す］
で示される化合物および薬学的に許容されうるその誘導体、
あるいは［式中、
Ｒは、フェニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、ホルミル、シアノ、ハロゲン、およびニトロより独立して選択される１または２個の置換基によって場合により置換されており、ここで、２個の隣接する置換基は、メチレンジオキシであり；
ここで、ピリジニルは、低級アルコキシ、アミノまたはハロゲンによって場合により置換されており；
Ｘは、酸素を表し；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は一緒になってメチレンジオキシを表す］
で示される化合物および薬学的に許容されうるその誘導体であり；
ここで、接頭辞「低級」は、炭素原子を最大７個、特に最大４個有する基を意味する。
【００２８】
好ましくは、応答は、対象における疾患の応答でありうる。同様に好ましくは、応答は、処置に対する、すなわち一般式Ｉで示される化合物または薬学的に許容されうるその誘導体を用いた処置に対する応答でありうる。
【００２９】
バイオマーカーであるホスホＡｋｔは、ヒトまたは動物の体から採取された、好ましくはヒトの体から採取された一つまたは複数の試料からエキソビボで測定される。一つまたは複数の試料は、ヒトまたは動物の体から予め入手され、好ましくはヒトの体から予め入手される。
【００３０】
好ましい一態様では、本発明は、上記と同義の一般式Ｉで示される化合物または薬学的に許容されうるその誘導体に対する、対象での疾患の耐性を予測するためのバイオマーカーとしての、ホスホＡｋｔの使用に関する。
【００３１】
好ましくは、薬学的に許容されうる誘導体は、一般式Ｉで示される化合物の塩、溶媒和物、プロドラッグ、プロドラッグの塩、多形および異性体から成る群より選択される。プロドラッグは、好ましくは、天然アミノ酸、小型ペプチドまたはＰＥＧ化ヒドロキシ酸のエステルおよびアミドである。より好ましくは、プロドラッグは、一般式Ｉで示される化合物のＲ基内に存在するアミノ基と、グリシン、アラニンまたはリシンのカルボキシ基とから形成されるアミドである。
【００３２】
特に好ましくは、化合物は、
【化６】
2014512001.tif 000008
または薬学的に許容されうるその塩、好ましくはその塩酸塩、最も好ましくはその二塩酸塩である。
【００３３】
本発明の別の局面は、上記と同義の一般式Ｉで示される化合物または薬学的に許容されうるその誘導体に対する、対象での疾患の応答を予測するための方法であって、
ａ）対象から予め入手された試料中の、上記と同義のホスホＡｋｔのレベルを測定して、このレベルを表す一つまたは複数の値を得る工程；および
ｂ）工程ａ）からの一つまたは複数の値を標準値または標準値のセットと比較する工程
を含む方法に関する。
【００３４】
さらに好ましくは、予測される応答は耐性である。
【００３５】
ホスホＡｋｔの一つまたは複数のレベルの測定は、対象から予め入手された試料からエキソビボで行われる。「予め入手された」は、その試料が、バイオマーカーのレベルを測定することを伴う任意の方法に供される前に得られるという事実を表し、「予め入手された」は、処置との関連で解釈してはならない。
【００３６】
好ましい一態様では、標準値または標準値のセットに比べてより高い、対象からの試料中のホスホＡｋｔレベルは、耐性を予測する。
【００３７】
同様に好ましくは、疾患は腫瘍性疾患または自己免疫疾患である。より好ましくは、疾患はガンである。特に好ましくは、ガンは、乳ガン、前立腺ガン、子宮頸ガン、胃ガン、卵巣ガン、結腸直腸ガン（すなわち結腸ガンおよび直腸ガンを含む）、膵臓ガン、肝臓ガン、悪性脳腫瘍、神経内分泌ガン、肺ガン、腎臓ガン、血液悪性腫瘍、メラノーマおよび肉腫から成る群より選択される。より特に好ましくは、ガンは、乳ガン、子宮頸ガン、胃ガン、肺ガン、結腸直腸ガンおよびメラノーマから成る群より選択される。特に好ましくは、ガンは、胃ガン、肺ガン、結腸直腸ガンおよびメラノーマから成る群より選択される。
【００３８】
さらなる一局面では、本発明は、腫瘍性疾患または自己免疫疾患、好ましくはガンを処置することを必要とする対象での、その疾患を処置する方法であって、対象からの試料中の上記と同義のホスホＡｋｔのレベルを測定して、このレベルを表す一つまたは複数の値を得ること、および前記試料中のホスホＡｋｔレベルが標準値または標準値のセット以下であるならば、上記と同義の一般式Ｉで示される化合物または薬学的に許容されうるその誘導体を用いて対象を処置することを含む方法に関する。
【００３９】
なおさらなる一局面では、本発明は、対象からの試料中のホスホＡｋｔのレベルを測定して、このレベルを表す一つまたは複数の値を得ること、およびホスホＡｋｔのレベルが標準値または標準値のセット以下であるならば、上記と同義の一般式Ｉで示される化合物または薬学的に許容されうるその誘導体を用いて対象を処置することを含む、腫瘍性疾患または自己免疫疾患、好ましくはガンの処置に使用するための上記と同義のホスホＡｋｔに関する。
【００４０】
ホスホＡｋｔレベルの測定は、対象から予め入手された試料からエキソビボで行われる。
【００４１】
別の局面では、本発明は、また、最初に、標準レベルまたは標準レベルのセットに比べてより高いホスホＡｋｔレベルの試料を有する対象において、上記と同義のホスホＡｋｔのレベルを減少させること、次に、上記と同義の一般式Ｉで示される化合物または薬学的に許容されうるその誘導体を用いて対象を処置することによって、腫瘍性疾患または自己免疫疾患、好ましくはガンを処置する方法に関する。
【００４２】
なお別の局面では、本発明は、試料中の上記と同義のホスホＡｋｔのレベルを測定するために必要な試薬を含む、上記と同義の一般式Ｉで示される化合物または薬学的に許容されうるその誘導体に対する応答を予測するためのキットに関する。より好ましくは、そのキットは、また、試料中のホスホＡｋｔレベルが比較される標準値または標準値のセットを含むコンパレーターモジュール（comparator module）を含む。
【００４３】
より好ましくは、キットは、上記と同義の一般式Ｉで示される化合物または薬学的に許容されうるその誘導体を含む。特に好ましい一態様では、キットは、次式で示される化合物または薬学的に許容されうるその塩を含む。
【００４４】
【化７】
2014512001.tif 000009
化学名：Ｓ−２，６−ジアミノ−ヘキサン酸［４−（２−｛２−［４−（２−シアノ−エチルアミノ）−フラザン−３−イル］−ベンゾイミダゾール−１−イル｝−アセチル）−フェニル］−アミド
【００４５】
特に好ましい一態様では、薬学的に許容されうる塩は二塩酸塩である。
【００４６】
本発明の別のさらなる局面は、試料中の上記と同義のホスホＡｋｔのレベルを測定するために必要な試薬、および試料中のホスホＡｋｔレベルが比較される標準値または標準値のセットを含むコンパレーターモジュールを含む、上記と同義の一般式Ｉで示される化合物または薬学的に許容されうるその誘導体に対する応答を予測するための装置に関する。
【００４７】
好ましい一態様では、キットまたは装置中の試薬は、ホスホＡｋｔ用の検出体を含む捕捉試薬、および検出体試薬を含む。特に好ましくは、捕捉試薬は抗体である。同様に好ましくは、ホスホＡｋｔが標準値または標準値のセットよりも高い場合、その疾患は、前記化合物を用いた処置に耐性であると予測される。好ましい一態様では、コンパレーターモジュールは、キットの使用説明に包含されている。別の好ましい態様では、コンパレーターモジュールは、ディスプレイ装置の形態である。
【００４８】
添付の図面を参照して、本発明の態様を以下に例示として記載する。しかし、本発明は、これらの態様を限定するものと理解してはならない。
【図面の簡単な説明】
【００４９】
【図１】５０nM ＢＡＬ２７８６２を用いた、異なる組織型由来のヒト腫瘍細胞系の処置を示す図である。５０nM ＢＡＬ２７８６２またはビヒクル対照を用いて２４時間処置後に、有糸分裂細胞またはＧ２／Ｍ停止細胞の微小管を染色した。図１Ａおよび１Ｂ：Ａ５４９ ＮＳＣＬＣ細胞；図１Ｃおよび１Ｄ：ＨｅＬａ子宮頸ガン細胞；図１Ｅおよび１Ｆ：ＳＫＢＲ３乳ガン細胞ビヒクル対照処置：図１Ａ、１Ｃおよび１Ｅ、ＢＡＬ２７８６２処置：図１Ｂ、１Ｄおよび１Ｆ。
【図２】化合物ＢおよびＣを用いたＡ５４９ ＮＳＣＬＣ細胞の処置を示す図である。それぞれ８０nMまたは２０nMの化合物ＢおよびＣで２４時間処置後に、有糸分裂Ａ５４９ ＮＳＣＬＣ細胞またはＧ２／Ｍ停止Ａ５４９ ＮＳＣＬＣ細胞の微小管を染色した。白のスケールバーは、１０μmを表す。図２Ａ：２０nM化合物Ｃを用いた処理；図２Ｂ：８０nM化合物Ｂを用いた処理。
【図３】図３：従来の微小管ターゲティング剤に比べた、ＢＡＬ２７８６２を用いた細胞処置の比較を示す図である。５０nMのＡ：ＢＡＬ２７８６２；Ｂ：ビンブラスチン；Ｃ：コルヒチン；Ｄ：パクリタキセルで２４時間処置後に、有糸分裂Ａ５４９ ＮＳＣＬＣ細胞またはＧ２／Ｍ停止Ａ５４９ ＮＳＣＬＣ細胞の微小管を染色した。１μm毎に取得した大量の画像を、ImageJソフトウェアを使用して処理した。
【図４】ノコダゾールに比べた、ＢＡＬ２７８６２を用いたＡ５４９ ＮＳＣＬＣ細胞の処置の比較を示す図である。様々な濃度のノコダゾール（Ｂ、ＣおよびＤ）ならびにＢＡＬ２７８６２（Ｅ、ＦおよびＧ）を用いて２４時間処置後に、有糸分裂細胞またはＧ２／Ｍ停止細胞の微小管を染色した。Ａ：対照、Ｂ：ノコダゾール５０nM、Ｃ：ノコダゾール１００nM、Ｄ：ノコダゾール２００nM、Ｅ：ＢＡＬ２７８６２ ２０nM；Ｆ：ＢＡＬ２７８６２ ３０nMおよびＧ：ＢＡＬ２７８６２ ５０nM。白のスケールバーは、１０μmを表す。観察された微小管表現型の代表的な画像を示す。
【図５】ＢＡＬ２７８６２および従来の微小管ターゲティング剤を用いた組み合わせ処置を示す図である。下記の時間だけ処置後に、有糸分裂Ａ５４９ ＮＳＣＬＣ細胞またはＧ２／Ｍ停止Ａ５４９ ＮＳＣＬＣ細胞の微小管を染色した。５０nM ＢＡＬ２７８６２、５０nMビンブラスチン、５０nMコルヒチンおよび２５nMパクリタキセルを使用した。白のスケールバーは、１０μmを表す。図５Ａ：２４時間のビンブラスチン処置；図５Ｂ：２４時間のビンブラスチン処置（最後の４時間はＢＡＬ２７８６２を含む）；図５Ｃ：２４時間のＢＡＬ２７８６２処置（最後の４時間はビンブラスチンを含む）。図５Ｄ：２４時間のコルヒチン処置；図５Ｅ：２４時間のコルヒチン処置（最後の４時間はＢＡＬ２７８６２を含む）；図５Ｆ：２４時間のＢＡＬ２７８６２処置（最後の４時間はコルヒチンを含む）。図５Ｇ：２４時間のパクリタキセル処置；図５Ｈ：２４時間のパクリタキセル処置（最後の４時間はＢＡＬ２７８６２を含む）；図５Ｉ：２４時間のＢＡＬ２７８６２処置（最後の４時間はパクリタキセルを含む）。
【図６】ＢＡＬ２７８６２およびノコダゾールの組み合わせ処置を示す図である。下記の時間だけ処置後に、有糸分裂Ａ５４９ ＮＳＣＬＣ細胞またはＧ２／Ｍ停止Ａ５４９ ＮＳＣＬＣ細胞の微小管を染色した。２５nM ＢＡＬ２７８６２および下記濃度のノコダゾールを使用した。白のスケールバーは、１０μmを表す。図６Ａ：２４時間の対照処置；図６Ｂ：２４時間の２５nM ＢＡＬ２７８６２処置；図６Ｃ：２４時間の５０nMノコダゾール処置；図６Ｄ：２４時間の１００nMノコダゾール処置；図６Ｅ：２４時間の１５０nMノコダゾール処置；図６Ｆ：２４時間の２００nMノコダゾール処置；図６Ｇ：２４時間の５０nMノコダゾール処置（最後の４時間は２５nM ＢＡＬ２７８６２を含む）；図６Ｈ：２４時間の１００nMノコダゾール処置（最後の４時間は２５nM ＢＡＬ２７８６２を含む）；図６Ｉ：２４時間の１５０nMノコダゾール処置（最後の４時間は２５nM ＢＡＬ２７８６２を含む）；図６Ｊ：２４時間の２００nMノコダゾール処置（最後の４時間は２５nM ＢＡＬ２７８６２を含む）；図６Ｋ：２４時間の２５nM ＢＡＬ２７８６２処置（最後の４時間は５０nMノコダゾールを含む）；図６Ｌ：２４時間の２５nM ＢＡＬ２７８６２処置（最後の４時間は１００nMノコダゾールを含む）；図６Ｍ：２４時間の２５nM ＢＡＬ２７８６２処置（最後の４時間は１５０nMノコダゾールを含む）；図６Ｎ：２４時間の２５nM ＢＡＬ２７８６２処置（最後の４時間は２００nMノコダゾールを含む）。
【図７Ａ】皮下に異種移植されたヌードマウスから得られた、患者由来の胃ガン（図７Ａ）、肺ガン（図７Ｂ）、結腸直腸ガン（図７Ｃ）およびメラノーマ（図７Ｄ）腫瘍から調製されたタンパク質抽出物を、ホスホＡｋｔおよびＡｋｔの発現についての免疫ブロット（ローディング対照としてアクチンを含む）により分析したもの示す図である。それぞれの場合に３個の独立した腫瘍を分析した（１〜３）。エキソビボコロニー成長アッセイを使用した腫瘍細胞のＢＡＬ２７８６２、パクリタキセルおよびビンブラスチンに対する耐性および感受性は、表１に定義する通りである。
【図７Ｂ】皮下に異種移植されたヌードマウスから得られた、患者由来の胃ガン（図７Ａ）、肺ガン（図７Ｂ）、結腸直腸ガン（図７Ｃ）およびメラノーマ（図７Ｄ）腫瘍から調製されたタンパク質抽出物を、ホスホＡｋｔおよびＡｋｔの発現についての免疫ブロット（ローディング対照としてアクチンを含む）により分析したもの示す図である。それぞれの場合に３個の独立した腫瘍を分析した（１〜３）。エキソビボコロニー成長アッセイを使用した腫瘍細胞のＢＡＬ２７８６２、パクリタキセルおよびビンブラスチンに対する耐性および感受性は、表１に定義する通りである。
【図７Ｃ】皮下に異種移植されたヌードマウスから得られた、患者由来の胃ガン（図７Ａ）、肺ガン（図７Ｂ）、結腸直腸ガン（図７Ｃ）およびメラノーマ（図７Ｄ）腫瘍から調製されたタンパク質抽出物を、ホスホＡｋｔおよびＡｋｔの発現についての免疫ブロット（ローディング対照としてアクチンを含む）により分析したもの示す図である。それぞれの場合に３個の独立した腫瘍を分析した（１〜３）。エキソビボコロニー成長アッセイを使用した腫瘍細胞のＢＡＬ２７８６２、パクリタキセルおよびビンブラスチンに対する耐性および感受性は、表１に定義する通りである。
【図７Ｄ】皮下に異種移植されたヌードマウスから得られた、患者由来の胃ガン（図７Ａ）、肺ガン（図７Ｂ）、結腸直腸ガン（図７Ｃ）およびメラノーマ（図７Ｄ）腫瘍から調製されたタンパク質抽出物を、ホスホＡｋｔおよびＡｋｔの発現についての免疫ブロット（ローディング対照としてアクチンを含む）により分析したもの示す図である。それぞれの場合に３個の独立した腫瘍を分析した（１〜３）。エキソビボコロニー成長アッセイを使用した腫瘍細胞のＢＡＬ２７８６２、パクリタキセルおよびビンブラスチンに対する耐性および感受性は、表１に定義する通りである。
【図８】エキソビボコロニー成長分析によってＢＡＬ２７８６２耐性と定義された患者由来異種移植胃腫瘍モデルにおいて腫瘍細胞ホスホＡｋｔレベルが増加していることを示す図である。患者由来腫瘍異種移植片（ヌードマウスで維持）を調製し、固定し、免疫組織化学法を用いてホスホＡｋｔタンパク質の発現について染色した。エキソビボコロニー成長アッセイを使用した腫瘍細胞のＢＡＬ２７８６２、パクリタキセルおよびビンブラスチンに対する耐性および感受性は、表１に定義する通りである。
【図９】Ａｋｔ１（ＲＡＣ−αセリン／トレオニンプロテインキナーゼ）［Homo sapiens］のタンパク質配列（配列番号１）を示す図である。
【図１０】Ａｋｔ２（ＲＡＣ−βセリン／トレオニンプロテインキナーゼ）［Homo sapiens］のタンパク質配列（配列番号２）を示す図である。
【図１１】Ａｋｔ３（ＲＡＣ−γセリン／トレオニンプロテインキナーゼアイソフォーム１）［Homo sapiens］のタンパク質酸配列（配列番号３）を示す図である。
【００５０】
詳細な説明
式Ｉで示される化合物
本発明による化合物は、一般式Ｉ：
【化８】
2014512001.tif 000010
［式中、
Ｒは、フェニル、チエニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、基Ｃ＝Ｙを表し（式中、Ｙは、酸素、またはヒドロキシもしくは低級アルコキシによって置換された窒素を表す）；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は、一緒になってメチレンジオキシを表す］
で示される化合物および薬学的に許容されうるその誘導体、
あるいは［式中、
Ｒは、フェニルまたはピリジニルを表し、
ここで、フェニルは、アルキル、ハロ低級アルキル、ヒドロキシ低級アルキル、低級アルコキシ低級アルキル、アシルオキシ低級アルキル、フェニル、ヒドロキシ、低級アルコキシ、ヒドロキシ低級アルコキシ、低級アルコキシ低級アルコキシ、フェニル低級アルコキシ、低級アルキルカルボニルオキシ、アミノ、モノアルキルアミノ、ジアルキルアミノ、低級アルコキシカルボニルアミノ、低級アルキルカルボニルアミノ、置換アミノ（ここで、窒素上の２個の置換基は、その窒素と一緒になってヘテロシクリルを形成している）、低級アルキルカルボニル、カルボキシ、低級アルコキシカルボニル、ホルミル、シアノ、ハロゲン、およびニトロより独立して選択される１または２個の置換基によって場合により置換されており；ここで、２個の隣接する置換基は、メチレンジオキシであり；
ここで、ピリジニルは、低級アルコキシ、アミノまたはハロゲンによって場合により置換されており；
Ｘは、酸素を表し；
Ｒ１は、水素、低級アルキルカルボニル、ヒドロキシ低級アルキルまたはシアノ低級アルキルを表し；
Ｒ２、Ｒ３およびＲ６は、水素を表し；
Ｒ４およびＲ５は、互いに独立して、水素、低級アルキルもしくは低級アルコキシを表すか；
または、Ｒ４とＲ５は一緒になってメチレンジオキシを表す］
および薬学的に許容されうるその誘導体によって表され；
ここで、接頭辞「低級」は、炭素原子を最大７個、特に最大４個有する基を意味する。
【００５１】
ヘテロシクリルは、好ましくは、窒素、酸素および硫黄より選択される１、２または３個のヘテロ原子を含む原子４〜１０個を含有する、飽和、部分飽和または不飽和の単環または二環を示し、その環は、特に述べない限り、炭素結合または窒素結合していてもよく、ここで、環の窒素原子は、低級アルキル、アミノ低級アルキル、アリール、アリール低級アルキルおよびアシルより選択される基によって場合により置換されていてもよく、環の炭素原子は、低級アルキル、アミノ低級アルキル、アリール、アリール低級アルキル、ヘテロアリール、低級アルコキシ、ヒドロキシまたはオキソによって置換されていてもよい。ヘテロシクリルの例は、ピロリジニル、オキサゾリジニル、チアゾリジニル、ピペリジニル、モルホリニル、ピペラジニル、ジオキソラニルおよびテトラヒドロピラニルである。
【００５２】
アシルは、例えば、アルキルカルボニル、シクロヘキシルカルボニル、アリールカルボニル、アリール低級アルキルカルボニル、またはヘテロアリールカルボニルを示す。低級アシルは、好ましくは低級アルキルカルボニル、特にプロピオニルまたはアセチルである。
【００５３】
好ましくは、本発明による一般式Ｉで示される化合物は、Ｒ１が、水素、アセチル、ＣＨ２ＣＨ２ＣＮおよびＣＨ２ＣＨ２ＣＨ２ＯＨから成る群より選択されると定義される。
【００５４】
好ましい一態様では、本発明による一般式Ｉで示される化合物は：
４−（１−フェナシル−１Ｈ−ベンズイミダゾール−２−イル）−フラザン−３−イルアミン、
４−［１−（４−ブロモフェナシル）−１Ｈ−ベンズイミダゾール−２−イル］−フラザン−３−イルアミンオキシム、
Ｎ−｛４−［１−（４−クロロフェナシル）−１Ｈ−ベンズイミダゾール−２−イル］−フラザン−３−イル｝−アセトアミド、
４−［１−（４−クロロフェナシル）−１Ｈ−ベンズイミダゾール−２−イル］−フラザン−３−イル−Ｎ−（２−シアノエチル）−アミン、
４−［１−（４−クロロフェナシル）−１Ｈ−ベンズイミダゾール−２−イル］−フラザン−３−イル−Ｎ−（３−ヒドロキシプロピル）−アミン、
４−［１−（３−アミノ−４−クロロフェナシル）−１Ｈ−ベンズイミダゾール−２−イル］−フラザン−３−イルアミン、
４−［１−（３−メトキシ−４−メトキシメトキシ−フェナシル）−１Ｈ−ベンズイミダゾール−２−イル］−フラザン−３−イルアミン、
および薬学的に許容されうるその誘導体から成る群より選択される。
【００５５】
別の好ましい態様では、本発明による一般式Ｉで示される化合物は：
【化９】
2014512001.tif 000011
［式中、
Ｒ、ＹおよびＲ１は下記と同義である］
または薬学的に許容されうるその誘導体である。
【００５６】
【表１】
2014512001.tif 000012
2014512001.tif 000013
2014512001.tif 000014
2014512001.tif 000015
2014512001.tif 000016
【００５７】
なお別の好ましい態様では、本発明による一般式Ｉで示される化合物は：
４−（１−フェノキシメチル−１Ｈ−ベンズイミダゾール−２−イル）−フラザン−３−イルアミン、
４−［１−（４−フルオロフェノキシメチル）−１Ｈ−ベンズイミダゾール−２−イル］−フラザン−３−イルアミン、
４−［１−（３，４−ジメチルフェノキシメチル）−１Ｈ−ベンズイミダゾール−２−イル］−フラザン−３−イル−Ｎ−（２−シアノエチル）−アミン、
および式：
【化１０】
2014512001.tif 000017
［式中、ＲおよびＲ１は、下記と同義である］
によって表される化合物または薬学的に許容されうるその誘導体から成る群より選択される。
【００５８】
【表２】
2014512001.tif 000018
2014512001.tif 000019
【００５９】
なおさらに別の好ましい態様では、本発明による一般式Ｉで示される化合物は：
【化１１】
2014512001.tif 000020
［式中、Ｒ、Ｒ４およびＲ５は、下記と同義である］
または薬学的に許容されうるその誘導体である。
【００６０】
【表３】
2014512001.tif 000021
【００６１】
より好ましくは、本発明による化合物は、一般式Ｉ
【化１２】
2014512001.tif 000022
［式中、
Ｒは、フェニルまたはピリジニルを表し、
ここで、フェニルは、低級アルキル、低級アルコキシ、アミノ、アセチルアミノ、ハロゲンおよびニトロより独立して選択される１または２個の置換基によって場合により置換されており；
ここで、ピリジニルは、アミノまたはハロゲンによって場合により置換されており；
Ｘは、基Ｃ＝Ｏを表し；
Ｒ１は、水素またはシアノ低級アルキルを表し；
Ｒ２、Ｒ３、Ｒ４、Ｒ５およびＲ６は、水素を表す］
で示される化合物および薬学的に許容されうるその誘導体であり、
ここで、接頭辞「低級」は、炭素原子を最大７個、特に最大４個有する基を意味する。
【００６２】
特に好ましくは、本発明による化合物は、次式
【化１３】
2014512001.tif 000023
［式中、Ｒ、ＹおよびＲ１は、下記と同義である］
または薬学的に許容されうるその誘導体によって表される。
【００６３】
【表４】
2014512001.tif 000024
【００６４】
さらに特に好ましくは、本発明による化合物は、次式
【化１４】
2014512001.tif 000025
［式中、Ｒ、ＹおよびＲ１は、下記と同義である］
または薬学的に許容されうるその誘導体によって表される。
【００６５】
【表５】
2014512001.tif 000026
【００６６】
特に好ましくは、本発明による一般式Ｉで示される化合物は、
【化１５】
2014512001.tif 000027
または薬学的に許容されうるその誘導体である。
【００６７】
一般式Ｉで示される化合物の一つまたは複数の「薬学的に許容されうる誘導体」という語句内の一つまたは複数の「誘導体」という用語は、その塩、溶媒和物および複合体、ならびにその塩の溶媒和物および複合体、ならびにそのプロドラッグ、多形、および異性体（光学、幾何および互変異性体を含む）、ならびにまたそのプロドラッグの塩に関する。より好ましい一態様では、その用語は、塩およびプロドラッグ、ならびにそのプロドラッグの塩に関する。
【００６８】
塩は、好ましくは酸付加塩である。塩、特に薬学的に許容されうる塩は、好ましくは、塩基性窒素原子を有する式（Ｉ）で示される化合物から、有機酸または無機酸と形成される。適切な無機酸は、例えば、塩酸などのハロゲン酸、硫酸、またはリン酸である。適切な有機酸は、例えば、カルボン酸、ホスホン酸、スルホン酸またはスルファミン酸、例えば酢酸、プロピオン酸、オクタン酸、デカン酸、ドデカン酸、グリコール酸、乳酸、フマル酸、コハク酸、アジピン酸、ピメリン酸、スベリン酸、アゼライン酸、リンゴ酸、酒石酸、クエン酸、グルタミン酸またはアスパラギン酸などのアミノ酸、マレイン酸、ヒドロキシマレイン酸、メチルマレイン酸、シクロヘキサンカルボン酸、アダマンタンカルボン酸、安息香酸、サリチル酸、４−アミノサリチル酸、フタル酸、フェニル酢酸、マンデル酸、ケイ皮酸、メタンスルホン酸もしくはエタンスルホン酸、２−ヒドロキシエタンスルホン酸、エタン−１，２−ジスルホン酸、ベンゼンスルホン酸、２−ナフタレンスルホン酸、１，５−ナフタレン−ジスルホン酸、２−、３−もしくは４−メチルベンゼンスルホン酸、メチル硫酸、エチル硫酸、ドデシル硫酸、Ｎ−シクロヘキシルスルファミン酸、Ｎ−メチル−、Ｎ−エチル−もしくはＮ−プロピル−スルファミン酸、またはアスコルビン酸などの他の有機プロトン酸である。
【００６９】
本発明による化合物は、式Ｉで示される化合物を得るために、ヒトまたは動物の体内で分解されるプロドラッグの形態で投与することができる。プロドラッグの例には、式Ｉで示される化合物の、in vivoで加水分解可能なエステルおよびアミドが含まれる。考慮される特定のプロドラッグは、天然アミノ酸のエステルおよびアミド、ならびに小型ペプチドの、特にアミノ酸最大５個、好ましくは２または３個から成る小型ペプチドのエステルまたはアミド、ならびにＰＥＧ化されたヒドロキシ酸、好ましくはヒドロキシ酢酸および乳酸のエステルおよびアミドである。プロドラッグ性エステルは、アミノ酸またはペプチドＣ末端の酸官能基と、式Ｉで示される化合物内の適切なヒドロキシ基（一つまたは複数）とから形成される。プロドラッグ性アミドは、アミノ酸もしくはペプチドＮ末端のアミノ官能基と、式Ｉで示される化合物内の適切なカルボキシ基（一つもしくは複数）とから、またはアミノ酸もしくはペプチドＣ末端の酸官能基と式Ｉで示される化合物内の適切なアミノ基（一つもしくは複数）とから形成される。特に好ましくは、プロドラッグ性アミドは、式Ｉで示されるＲ基内に存在するアミノ基（一つまたは複数）から形成される。
【００７０】
より好ましくは、プロドラッグは、式Ｉで示される化合物へのグリシン、アラニンまたはリシンの付加によって形成される。
【００７１】
なおより好ましくは、一般式Ｉで示される化合物は、式：
【化１６】
2014512001.tif 000028
で示される化合物より選択されるプロドラッグの形態である。
【００７２】
特に好ましい一態様では、本発明による化合物は、次式
【化１７】
2014512001.tif 000029
を有するプロドラッグの形態である。
【００７３】
最も特に好ましい一態様では、本発明による化合物は、次式
【化１８】
2014512001.tif 000030
で示される化合物の薬学的に許容されうる塩、好ましくはその塩酸塩、最も好ましくはその二塩酸塩である。
【００７４】
この場合の薬学的に活性なin vivo代謝物は、ＢＡＬ２７８６２である。
【００７５】
これらのプロドラッグは、本質的に公知の工程、特に式（ＩＩ）
【化１９】
2014512001.tif 000031
［式中、Ｒ１は、式（Ｉ）と同義であり、Ｚは、ＣＨまたはＮである］
で示される化合物、または官能基を保護された形態で含む当該化合物の誘導体、またはその塩が、
（１）式（ＩＩＩ）
【化２０】
2014512001.tif 000032
［式中、
Ｒ１０は、水素（Ｇｌｙ）；メチル（Ａｌａ）および保護されたアミノブチル（Ｌｙｓ）より選択され、Ｒ１１は、適切なアミノ保護基である］
で示されるアミノ酸でアシル化され、
（２）結果として生じた化合物の保護された誘導体内の任意の保護基が除去されて、上に示すプロドラッグが生成し、所望により、
（３）前記プロドラッグが、酸処理によって塩に変換されるか、または式（ＩＩ）で示される化合物の塩が、対応する式（ＩＩ）で示される遊離化合物もしくは別の塩に変換され、かつ／または異性体性生成化合物の混合物が個別の異性体に分離される工程によって調製することができる。
【００７６】
式（ＩＩＩ）で示されるアミノ酸による式（ＩＩ）で示される化合物のアシル化は、本質的に公知の方式で、通常は適切な極性または双極性の非プロトン性溶媒の存在下で、必要に応じて冷却または加熱して、例えば約−８０℃〜約＋１５０℃、より好ましくは−３０℃〜＋１２０℃の温度範囲で、特におよそ０℃付近〜使用溶媒の還流温度の範囲で行われる。場合により適切な塩基、特にピリジンもしくはコリジンのような芳香族塩基、またはトリエチルアミンもしくはジイソプロピルエチルアミンなどの第三級アミン、または無機塩基性塩、例えば炭酸カリウムもしくは炭酸ナトリウムが添加される。
【００７７】
アシル化は、ペプチド化学において本質的に公知のアミド形成用条件で、例えばＮ，Ｎ’−ジエチル−、Ｎ，Ｎ’−ジプロピル−、Ｎ，Ｎ’−ジイソプロピル−、Ｎ，Ｎ’−ジシクロヘキシルカルボジイミドおよびＮ−（３−ジメチルアミノイソプロピル）−Ｎ’−エチルカルボジイミド塩酸塩（ＥＤＣ）のようなカルボジイミドなどのカルボキシ基用活性化剤を用いて、または１−ヒドロキシベンゾトリアゾール（ＨＯＢｔ）、ベンゾトリアゾール−１−イルオキシトリス（ジメチルアミノ）−ホスホニウムヘキサフルオロホスフェート（ＢＯＰ）、Ｏ−（７−アザ−ベンゾトリアゾール−１−イル）−Ｎ，Ｎ，Ｎ’，Ｎ’−テトラメチルウロニウムヘキサフルオロホスフェート（ＨＡＴＵ）、２−（２−オキソ−１−（２Ｈ）−ピリジル）−１，１，３，３−テトラメチルウロニウムテトラフルオロボレート（ＴＰＴＵ）などの薬剤を用いて、場合により適切な塩基、触媒または共試薬（co-reagent）の存在下で行うことができる。カルボキシ基は、また、ハロゲン化アシル、好ましくは塩化アシルとして、例えば塩化チオニルもしくは塩化オキサリルとの反応によって、または対称性無水物もしくは不斉無水物として、例えばクロロギ酸エチルのようなハロゲノギ酸エステルとの反応によって、場合により適切な塩基、触媒または共試薬の存在下で活性化することができる。
【００７８】
式（ＩＩ）または（ＩＩＩ）で示される化合物内で、一つまたは複数の他の官能基が、例えばカルボキシ、ヒドロキシまたはアミノが、反応に加わってはならないという理由で保護されるまたは保護される必要がある場合、これらは、特にペプチド化合物、セファロスポリン、ペニシリン、核酸誘導体および糖のようなアミドの合成に通常適用されるような当業者に公知の保護基である。アミノ基用の適切な保護基は、例えばｔ−ブチルカルバメート、ベンジルカルバメートまたは９−フルオレニルメチルカルバメートである。
【００７９】
保護基は、前駆体にすでに存在してもよく、アルキル化、アシル化、エーテル化、エステル化、酸化、加溶媒分解、および類似の反応のような望まれない二次反応から関係する官能基を保護するべきである。例えば生理条件に類似の条件で、保護基が、典型的には加溶媒分解、還元、光分解による除去、またはさらに酵素活性による除去を、容易に、すなわち望まれない二次反応なしに受けやすいこと、および保護基が最終生成物中に存在しないことが、保護基の特徴である。専門家は、どの保護基が本明細書上述および下述の反応に適しているかを知っている、または容易に確定することができる。
【００８０】
そのような保護基によるそのような官能基の保護、保護基自体、およびそれらの除去反応は、例えばペプチド合成に関する標準的な参考書および下記のような保護基に関する専門書に記載されている。
J. F. W. McOmie, "Protective Groups in Organic Chemistry", Plenum Press, Londonand New York 1973、"Methoden der organischen Chemie" (Methods of organic chemistry), Houben-Weyl, 4th edition, Volume 15/I, Georg Thieme Verlag, Stuttgart 1974、およびT. W. Greene, G. M. Wuts "Protective Groups in Organic Synthesis", Wiley, New York, 2006。
【００８１】
疾患
本発明による一般式Ｉで示される化合物は、細胞増殖を停止させ、例えばアポトーシスによって、細胞死を誘導することが示されている。
【００８２】
細胞増殖の脱調節（deregulation）または適切な細胞死の欠如は、広い臨床的意味を有する。そのような脱調節に関連するいくつかの疾患は、過剰増殖、炎症、組織リモデリングおよび修復を伴う。この種類のよく知られている徴候には、ガン、再狭窄、新生内膜過形成、血管新生、子宮内膜症、リンパ増殖性障害、移植関連病態（移植片拒絶）、ポリポーシス、組織リモデリングの場合の神経機能喪失などが含まれる。
【００８３】
ガンは、異常な細胞増殖速度および異常な細胞死速度に関連する。大部分の種類の増殖性腫瘍性疾患ではアポトーシスが阻害または遅延されるので、特に古典的化学療法、放射線療法および免疫療法に耐性を示す種類のガンでは、ガンの処置にアポトーシス誘導が一選択肢である（Apoptosis and Cancer Chemotherapy, Hickman and Dive, eds., Blackwell Publishing, 1999）。自己免疫および移植に関係する疾患および病態でも、正常な細胞死過程を回復するために、アポトーシスを誘導する化合物が使用される場合があり、したがって、それらの化合物は症状を根絶することができ、疾患を治癒しうる。アポトーシスを誘導する化合物は、さらに、再狭窄に、すなわち動脈壁への血管平滑筋細胞の蓄積に、ならびに細菌感染細胞およびウイルス感染細胞を一掃しないことによって起こる持続感染に適用されうる。さらに、上皮細胞、内皮細胞、筋細胞、および細胞外マトリックスとの接触を失った他の細胞でアポトーシスを誘導または回復することができる。
【００８４】
一般式Ｉによる化合物または薬学的に許容されうるその誘導体は、ヒトまたは動物の体の予防的処置または特に治療的処置のために、特に腫瘍性疾患、自己免疫疾患、移植関連病態および／または変性疾患を処置するために使用することができる。そのような腫瘍性疾患の例には、非限定的に、上皮性腫瘍、扁平細胞腫瘍、基底細胞腫、移行上皮乳頭腫および移行上皮癌、腺腫および腺ガン、皮膚付属器腫瘍、粘液類上皮腫、嚢胞性腫瘍、粘液性腫瘍および漿液性腫瘍、管腫瘍、小葉性腫瘍および髄質腫瘍、腺房細胞腫瘍、複合上皮腫瘍、特殊性腺腫瘍、傍神経節腫およびグロムス腫瘍、母斑およびメラノーマ、軟組織の腫瘍および肉腫、線維腫、粘液腫性混合腫瘍、脂肪腫、筋腫、複合混合腫瘍および間質性腫瘍、線維上皮腫瘍、滑液様腫瘍、中皮腫、胚細胞腫瘍、絨毛性腫瘍、中腎腫、血管腫瘍、リンパ管腫瘍、骨性および軟骨性腫瘍、巨細胞腫瘍、その他の骨性腫瘍、歯原性腫瘍、神経膠腫、神経上皮腫、髄膜腫、神経鞘腫瘍、顆粒細胞腫および胞巣状軟部肉腫、ホジキンリンパ腫および非ホジキンリンパ腫、他のリンパ細網細胞系腫瘍、形質細胞腫、肥満細胞腫、免疫増殖性疾患、白血病、その他の骨髄増殖性障害、リンパ増殖性障害、ならびに骨髄異形成症候群が含まれる。
【００８５】
一般式Ｉで示される化合物または薬学的に許容されうるその誘導体は、自己免疫疾患の処置に使用することができる。そのような自己免疫疾患の例には、非限定的に、全身性、円板状または亜急性皮膚エリテマトーデス、慢性関節リウマチ、抗リン脂質症候群、ＣＲＥＳＴ、進行性全身硬化症、混合性結合組織病（シャープ症候群）、ライター症候群、若年性関節炎、寒冷凝集素病、本態性混合クリオグロブリン血症、リウマチ熱、強直性脊椎炎、慢性多発性関節炎、重症筋無力症、多発性硬化症、慢性炎症性脱髄性多発ニューロパチー、ギラン・バレー症候群、皮膚筋炎／多発筋炎、自己免疫性溶血性貧血、血小板減少性紫斑病、好中球減少症、Ｉ型糖尿病、甲状腺炎（橋本病およびグレーブス病）、アジソン病、多発内分泌腺症候群、天疱瘡（尋常性、落葉状、皮脂腺性および増殖性）、水疱性および瘢痕性類天疱瘡、妊娠性類天疱瘡、後天性表皮水疱症、線状ＩｇＡ病、硬化性萎縮性苔癬、デューリング病、尋常性乾癬、滴状、汎発性膿疱性および限局性膿疱性乾癬、白斑、円形脱毛症、原発性胆汁性肝硬変、自己免疫性肝炎、全形式の糸球体腎炎、肺出血（グッドパスチャー症候群）、ＩｇＡ腎症、悪性貧血および自己免疫性胃炎、炎症性腸疾患（潰瘍性大腸炎およびクローン病を含む）、ベーチェット病、セリアック病、自己免疫性ブドウ膜炎、自己免疫性心筋炎、肉芽腫性睾丸炎、睾丸炎を伴わない精子形成欠如、特発性および二次性肺線維症、壊疽性膿皮症などの自己免疫性病因の可能性がある炎症性疾患、紅色苔癬、サルコイドーシス（ロフグレン型および皮膚／皮下型を含む）、環状肉芽腫、Ｉ型およびＩＶ型アレルギー性免疫反応、気管支喘息、花粉症、アトピー性、接触性および空気伝播（airborne）皮膚炎、大型血管炎（巨細胞性動脈炎および高安動脈炎）、中型血管炎（結節性多発動脈炎、川崎病）、小血管炎（ヴェゲナー肉芽腫症、チャーグ・ストラウス症候群、顕微鏡的多発血管炎、ヘノッホ・シェーンライン紫斑病、本態性クリオグロブリン血症血管炎、皮膚白芽球血管炎）、過敏症症候群、中毒性表皮壊死症（スティーブンス・ジョンソン症候群、多形紅斑）、薬物副作用による疾患、ｌ−ｖｕ型（クームス分類）免疫学的反応形態による全形式の皮膚作用、臓器特異的作用および全身作用、全臓器（皮膚、心臓、腎臓、骨髄、眼、肝臓、脾臓、肺、筋肉、中枢および末梢神経系、結合組織、骨、血管およびリンパ管、泌尿生殖器系、耳、軟骨、骨髄を含む一次および二次リンパ系、リンパ節、胸腺、口咽頭、食道、胃、小腸、結腸、および直腸を含む消化管が、上記臓器の部分から単一細胞レベルおよび下部構造、例えば幹細胞まで）に波及する急性および慢性の移植片対宿主病および宿主対移植片病などの移植関連病状が含まれる。
【００８６】
特に好ましくは、本発明による疾患は、腫瘍性疾患または自己免疫疾患である。特に好ましい一態様では、疾患はガンである。
【００８７】
ガンの例は、罹患した臓器および身体部分に関して、非限定的に、乳ガン、子宮頸ガン、卵巣ガン、結腸ガン、直腸ガン（結腸および直腸、すなわち結腸直腸ガンを含む）、肺ガン（小細胞肺ガン、非小細胞肺ガン、大細胞肺ガンおよび中皮腫）、内分泌系ガン、骨ガン、副腎ガン、胸腺ガン、肝臓ガン、胃ガン、腸ガン（胃ガンを含む）、膵臓ガン、骨髄ガン、血液悪性腫瘍（リンパ腫、白血病、骨髄腫またはリンパ系腫瘍など）、膀胱ガン、尿路ガン、腎臓ガン、皮膚ガン、甲状腺ガン、悪性脳腫瘍、頭部ガン、頸部ガン、前立腺ガンおよび精巣ガンが含まれる。好ましくは、ガンは、乳ガン、前立腺ガン、子宮頸ガン、卵巣ガン、胃ガン、結腸直腸ガン、膵臓ガン、肝臓ガン、悪性脳腫瘍、神経内分泌ガン、肺ガン、腎臓ガン、血液悪性腫瘍、メラノーマおよび肉腫から成る群より選択される。特に好ましくは、ガンは、乳ガン、子宮頸ガン、胃ガン、肺ガン、結腸直腸ガンおよびメラノーマから成る群より選択される。より特に好ましくは、ガンは、胃ガン、肺ガン、結腸直腸ガンおよびメラノーマから成る群より選択される。
【００８８】
試料
ホスホＡｋｔレベルの測定は、対照から得られた生物学的材料の試料にin vitroで行うことができる。試料は、例えば、正常組織、腫瘍組織、細胞系、血漿、血清、全血、脳脊髄液、リンパ液、循環腫瘍細胞、細胞溶解物、組織溶解物、尿および吸引物などの、体から分離された任意の生物学的材料でありうる。好ましくは、試料は、正常組織、腫瘍組織、細胞系および循環腫瘍細胞から成る群より得られる。より好ましくは、試料は、腫瘍組織または循環腫瘍細胞から得られる。特に好ましい一態様では、試料は、腫瘍組織から得られる。例えば、ホスホＡｋｔレベルは、新鮮腫瘍組織試料、凍結腫瘍組織試料またはホルマリン固定／パラフィン包埋腫瘍組織試料から測定することができる。
【００８９】
試料は、バイオマーカーレベルを測定することを伴う方法ステップに供される前に、対象から予め入手される。試料を取り出す方法は、当技術分野で周知であり、試料は、生検、例えばパンチ生検、コア生検、吸引細針生検、内視鏡生検、または表面生検によって対象から取り出すことができる。全血、血漿または血清試料を、静脈穿刺によって採取し、標準技法によりさらに処理することができる。循環腫瘍細胞は、また、例えばサイズ（例えばＩＳＥＴ（サイズによる上皮腫瘍細胞単離法））または免疫磁気細胞濃縮（例えばCellSearch（登録商標）, Veridex, Raritan, NJ）に基づいて血液から得ることができる。
【００９０】
試料の比較
本発明による対象は、ヒトまたは動物でありうる。好ましくは、対象はヒトである。
【００９１】
バイオマーカーであるホスホＡｋｔは、ヒトまたは動物の体から採取された、好ましくはヒトの体から採取された一つまたは複数の試料からエキソビボで測定される。一つまたは複数の試料または試料は、バイオマーカーのレベルを測定することを伴う方法ステップに供される前に、ヒトまたは動物の体から予め入手され、好ましくはヒトの体から予め入手される。
【００９２】
バイオマーカーは、一般に、生物学的応答の指標として、好ましくは、本出願では一般式Ｉで示される化合物または薬学的に許容されうるその誘導体を用いた処置である所与の処置に対する感受性の指標として、使用される物質である。
【００９３】
特に好ましい一態様では、標準値または標準値のセットに比べてより高い、試料中ホスホＡｋｔレベルは、耐性を予測する。
【００９４】
より高いホスホＡｋｔレベルは、より高い試料中合計Ａｋｔレベルおよび／またはより高いパーセンテージのリン酸化されるＡｋｔが原因で生じうる。
【００９５】
本明細書に使用するように、標準レベルもしくは標準レベルのセットに比べて、増加、または比較的高いもしくは高いもしくはより高いレベルは、試料中のバイオマーカーの量または濃度が、標準レベルまたは標準レベルのセットに比べて試料中で検出可能な程度に大きいことを意味する。これは、標準に比べて少なくとも約１％の増加、または約１％高いレベル、好ましくは標準に比べて少なくとも約５％の増加を包含する。より好ましくは、それは、標準に比べて少なくとも約１０％の増加、または少なくとも約１０％高いレベルである。より特に好ましくは、それは、標準に比べて少なくとも約２０％の増加、または少なくとも約２０％高いレベルである。例えば、そのような「増加」または「より高いレベル」には、非限定的に、標準に比べて少なくとも約１％、約１０％、約２０％、約３０％、約５０％、約７０％、約８０％、約１００％、約１５０％または約２００％以上が含まれうる。
【００９６】
好ましくは、
ｉ）同じ腫瘍組織型を有する対象からの標準値もしくは標準値のセットに比べて；または
ｉｉ）正常な細胞、組織または体液からの標準値もしくは標準値のセットに比べて、
より高い、一つまたは複数の試料中のホスホＡｋｔレベルは、耐性を予測する。
【００９７】
ホスホＡｋｔレベルの測定は、対象から予め入手された試料からエキソビボで行われる。
【００９８】
特に好ましくは、同じ腫瘍組織型を有する対象からの標準値もしくは標準値のセットに比べてより高い、一つまたは複数の試料中のホスホＡｋｔレベルは、耐性を予測する。
【００９９】
一つまたは複数の試料からの測定値が、被比較試料と同じ腫瘍組織型を有する対象由来の試料からの標準値または標準値のセットと比較される場合ｉ）についての好ましい一態様では、その標準値または標準値のセットは、その型のガンを有する対象集団由来の試料から定められる。試料の起源が標準と被比較試料との間で一致している限り、これらの標準対象からの試料は、例えば腫瘍組織または循環腫瘍細胞から得ることができる。
【０１００】
一つまたは複数の試料からの測定値が、正常な細胞または組織から採取された標準値または標準値のセットと比較される場合ｉｉ）についての別の好ましい態様では、その標準値または標準値のセットは、正常な（例えば非腫瘍性の）細胞、組織または体液の試料から定めることができる。そのようなデータは、標準値または標準値のセットを作るために対象集団から集めることができる。
【０１０１】
標準値または標準値のセットは、細胞系由来でありうる予め入手された試料から、または好ましくは少なくとも一つの対象から採取された生物学的材料から、より好ましくは対象の平均値（例えば、ｎ＝２〜１０００以上）から、エキソビボで定められる。次に、標準値または標準値のセットは、一般式Ｉで示される化合物または薬学的に許容されうるその誘導体を用いた処置に対する同じ細胞系または同じ対象の応答データと対比することができる。この対比から、式Ｉで示される化合物または薬学的に許容されうるその誘導体に対する応答レベルのスペクトルに関連づけてバイオマーカーのレベルを表示するコンパレーターモジュールを、例えば相対尺度または採点システムの形態の、場合によりカットオフ値または閾値を含むコンパレーターモジュールを定めることができる。応答レベルのスペクトルは、化合物の治療活性に対する相対感受性（例えば高感受性〜低感受性）、および治療活性に対する耐性を含みうる。好ましい一態様では、このコンパレーターモジュールは、処置に対する耐性を予測するカットオフ値または値のセットを含む。
【０１０２】
例えば、免疫組織化学法が試料中のホスホＡｋｔレベルを測定するために使用されるならば、標準値は、採点システムの形態でありうる。そのようなシステムは、ホスホＡｋｔについての染色が存在する細胞のパーセンテージを考慮する場合がある。システムは、また、個別細胞中の相対染色強度または細胞局在を考慮する場合がある。次に、ホスホＡｋｔレベルの標準値または標準値のセットを、式Ｉで示される化合物または薬学的に許容されうるその誘導体の治療活性に対する対象または組織または細胞系の応答、特に耐性を示すデータと対比することができる。次に、そのようなデータは、コンパレーターモジュールの一部を形成することができる。
【０１０３】
応答は、一般式Ｉで示される化合物または薬学的に許容されうるその誘導体の治療活性に対する、細胞系の、または好ましくは対象の、またはより好ましくは対象での疾患の反応である。応答レベルのスペクトルは、化合物の治療活性に対する相対感受性（例えば高感受性〜低感受性）、および治療活性に対する耐性を含みうる。応答データは、例えば、奏功率、疾患進行までの時間、無増悪生存率、および全生存率に関してモニターすることができる。
【０１０４】
ガン性疾患の応答は、ガンの処置分野の専門家に周知の基準、例えば非限定的に以下を使用することによって評価することができる：
固形腫瘍効果判定基準（ＲＥＣＩＳＴ）ガイドライン、出典：Eisenhauer EA, Therasse P, Bogaerts J, Schwartz LH, Sargent D, Ford R, Dancey J, Arbuck S Gwyther S, Mooney M, Rubinstein L, Shankar L, Dodd L, Kaplan R, Lacombe D, Verweij J. New response evaluation criteria in solid tumours: revised RECIST guideline (version 1.1). Eur J Cancer.2009 ;45:228-47；
高悪性度神経膠腫のためのＲＡＮＯ基準、出典：Wen PY, Macdonald DR, Reardon DA, Cloughesy TF, Sorensen AG, Galanis E, Degroot J, Wick W, Gilbert MR, Lassman AB, Tsien C, Mikkelsen T, Wong ET, Chamberlain MC, Stupp R, Lamborn KR, Vogelbaum MA, van den Bent MJ, Chang SM. Updated response assessment criteria for high-grade gliomas: response assessment in neuro-oncology working group. J Clin Oncol. 2010;28(11):1963-72；
卵巣ガン応答のためのＣＡ−１２５ Rustin基準、出典：Rustin GJ, Quinn M, Thigpen T, du Bois A, Pujade-Lauraine E, Jakobsen A, Eisenhauer E, Sagae S, Greven K, Vergote I, Cervantes A, Vermorken J. 参照: New guidelines to evaluate the response to treatment in solid tumors (ovarian Cancer). J Natl Cancer Inst. 2004; 96(6):487-8；
および
前立腺ガン応答のためのＰＳＡ作業グループ２の基準、出典：Scher HI, Halabi S, Tannock I, Morris M, Sternberg CN, Carducci MA, Eisenberger MA, Higano C, Bubley GJ, Dreicer R, Petrylak D, Kantoff P, Basch E, Kelly WK, Figg WD, Small EJ, Beer TM, Wilding G, Martin A, Hussain M; Prostate Cancer Clinical Trials Working Group. Design and end points of clinical trials for patients with progressive prostate cancer and castrate levels of testosterone: recommendations of the Prostate Cancer Clinical Trials Working Group. J Clin Oncol. 2008;26(7):1148-59。
【０１０５】
耐性は、以下の一つもしくは複数に観察可能および／もしくは測定可能な減少がないこと、または以下の一つもしくは複数が不在であることに関連する：異常細胞、好ましくはガン細胞の数の減少、または異常細胞、好ましくはガン細胞の不在；ガン性疾患について：腫瘍径の減少；さらなる腫瘍成長の阻害（すなわち、ある程度減速、好ましくは停止）；ＰＳＡおよびＣＡ−１２５などの腫瘍マーカーのレベル減少；他の臓器へのガン細胞浸潤阻害（すなわち、ある程度減速、好ましくは停止）（軟組織および骨へのガンの拡散を含む）；腫瘍転移の阻害（すなわち、ある程度減速、好ましくは停止）；特定のガンに関連する一つまたは複数の症状の緩和；ならびに罹患率および死亡率の減少。
【０１０６】
好ましい一態様では、耐性は、以下の基準の一つもしくは複数に観察可能および／もしくは測定可能な減少がないこと、または以下の一つもしくは複数が不在であることを意味する：腫瘍径の減少；さらなる腫瘍成長の阻害；他の臓器へのガン細胞の浸潤阻害；および腫瘍転移の阻害。
【０１０７】
より好ましい一態様では、耐性は、以下の基準の一つまたは複数を表す：腫瘍径の減少なし；さらなる腫瘍成長の阻害なし；他の臓器へのガン細胞の浸潤阻害なし；および腫瘍転移の阻害なし。
【０１０８】
上述の耐性基準の測定は、ガン性疾患の応答を測定するための上掲のガイドラインなどの、ガンの処置分野の専門家に周知の臨床ガイドラインによる。
【０１０９】
応答は、また、細胞増殖および／または細胞死を判定することによってin vitroで定めることができる。例えば、細胞死または細胞増殖に対する作用は、以下の十分に確立されたアッセイの一つまたは複数によってin vitroで判定することができる：Ａ）アポトーシスの特徴である核の形態およびＤＮＡフラグメント化についての情報を与える、Hoechst33342を用いた核染色。Ｂ）形質膜の外側脂質二重層のホスファチジルセリン含量を反映するアネキシンＶ結合アッセイ。この事象は、アポトーシスの初期特徴と見なされる。Ｃ）核酸末端をラベルすることによってＤＮＡフラグメント化を測定することによりアポトーシスまたは壊死を受けている細胞を評価するための蛍光法であるＴＵＮＥＬアッセイ（末端デオキシヌクレオチドトランスフェラーゼ介在性ｄＵＴＰニック末端ラベリングアッセイ）。Ｄ）細胞の代謝活性を測定するＭＴＳ増殖アッセイ。生存細胞は代謝的に活性であり、一方で呼吸鎖が損なわれた細胞は、この試験で活性低下を示す。Ｅ）細胞成分の直接染色により細胞数に対する作用がモニターされるクリスタルバイオレット染色アッセイ。Ｆ）ブロモデオキシウリジン（ＢｒｄＵ）の取り込みによりＤＮＡ合成をモニターする増殖アッセイ。成長／増殖に対する阻害作用を、直接決定することができる。Ｇ）細胞生存率を妨害せずに瀕死の（例えばアポトーシス）細胞の分析を可能にする、膜不透過性の蛍光単量体性シアニン核酸染色を伴うＹＯ−ＰＲＯアッセイ。細胞数に対する全体的な作用は、また、細胞の透過化後に分析することができる。Ｈ）異なる細胞周期相の間の分布に変化を示す、細胞周期分布のためのヨウ化プロピジウム染色。細胞周期停止点を決定することができる。Ｉ）単一細胞懸濁物が軟寒天中でコロニーに成長する能力を判定するコロニー成長アッセイなどの足場非依存性成長アッセイ。
【０１１０】
in vitro耐性の決定に関する好ましい一態様では、耐性は、異常細胞の増殖速度の低下、および／または異常細胞数の減少がないことを意味する。より好ましくは、耐性は、ガン細胞の増殖速度の低下、および／またはガン細胞数の減少がないことを意味する。異常細胞、好ましくはガン細胞の数の減少は、多様なプログラム細胞死メカニズムおよび非プログラム細胞死メカニズムにより起こりうる。アポトーシス、カスパーゼ非依存性プログラム細胞死およびオートファジー細胞死は、プログラム細胞死の例である。しかし、本発明の態様に関係する細胞死の基準は、任意の一つの細胞死メカニズムに限定されると解釈してはならない。
【０１１１】
ホスホＡｋｔ
上記に定義したようなＡｋｔという用語は、本明細書において全ての上述の異名およびアイソフォームを包含するために使用され、ホスホＡｋｔは、一つまたは複数の残基でリン酸化されているＡｋｔであり、但し、名称ホスホＡｋｔは、Ａｋｔ１、Ａｋｔ２、およびＡｋｔ３について、それぞれＴ３０８、Ｔ３０９またはＴ３０５以外の部位でのリン酸化を示すために使用される。これをさらに理解しやすくすると、ホスホＡｋｔは、それぞれＡｋｔ１、Ａｋｔ２およびＡｋｔ３について、Ｔ３０８、Ｔ３０９またはＴ３０５でリン酸化されていても、されていなくてもよいが、名称ホスホＡｋｔは、これら以外の部位でリン酸化されていることを示す。
【０１１２】
Ａｋｔ（ヒトＡｋｔ）のタンパク質配列の好ましい例を、配列番号１〜３、図９〜１１に挙げる。しかし、Ａｋｔという用語は、これらの配列の相同体、突然変異体型、アレル変異体、アイソフォーム、スプライス変異体および等価物も包含する。これらの配列のヒト相同体、突然変異体型、アレル変異体、アイソフォーム、スプライス変異体および等価物が、より好ましい態様である。より好ましくは、それは、配列番号１〜３によって表される任意の配列と少なくとも約７５％の同一性、特に好ましくは少なくとも約８５％の同一性、特に好ましくは少なくとも約９５％の同一性を有する配列を包含する。特に好ましい一態様では、Ａｋｔは、配列番号１〜３によって表される任意の配列および任意のこれらの配列と少なくとも９９％の同一性を有する配列に対応する。特に好ましい一態様では、Ａｋｔは、配列番号１によって表される配列およびこの配列と少なくとも９５％の同一性、好ましくは少なくとも９９％の同一性を有する配列に対応する。より特に好ましい一態様では、Ａｋｔは、配列番号１〜３のいずれかによって表される配列に対応する。さらにより特に好ましい一態様では、Ａｋｔは、配列番号１によって表される配列に対応する。
【０１１３】
特に好ましい一態様では、ホスホＡｋｔは、以下のセリン残基上でリン酸化されているＡｋｔを表すものとする（ここで、その好ましい態様は、前節に示す通りである）：
Ａｋｔ１（配列番号１）について：Ｓ４７３；
Ａｋｔ２（配列番号２）について：Ｓ４７４；および
Ａｋｔ３（配列番号３）について：Ｓ４７２。
【０１１４】
さらに別の特に好ましい態様では、ホスホＡｋｔは、配列番号１〜３によって表される任意の配列および任意のこれらの配列と少なくとも９９％の同一性を有する配列に対応し、ここで、配列番号１によって表される配列について、Ｓ４７３がリン酸化されているか、または配列番号２によって表される配列について、Ｓ４７４がリン酸化されているか、または配列番号３によって表される配列について、Ｓ４７２がリン酸化されている。
【０１１５】
非常に特に好ましい一態様では、ホスホＡｋｔは、Ｓ４７３でリン酸化されている、配列番号１によって表される配列に対応する。
【０１１６】
ホスホＡｋｔのレベル
ホスホＡｋｔのレベルは、当業者に周知の技術的手段によって試料からアッセイすることができる。ホスホＡｋｔレベルをタンパク質レベルで測定するために適する、当業界で公知のタンパク質発現分析法の例には、非限定的に、ｉ）免疫組織化学（ＩＨＣ）分析、ｉｉ）ウエスタンブロッティング、ｉｉｉ）免疫沈降ｉｖ）酵素結合免疫吸着アッセイ（ＥＬＩＳＡ）、ｖ）ラジオイムノアッセイ、ｖｉ）蛍光標識細胞分取（ＦＡＣＳ）、ｖｉｉ）質量分析（マトリックス支援レーザー脱離／イオン化（ＭＡＬＤＩ、例えばＭＡＬＤＩ−ＭＳ）またはエレクトロスプレー（例えばＥＳＩ−ＭＳ）を含む）が含まれる。
【０１１７】
上記方法のいくつかに関与する抗体は、モノクローナル抗体もしくはポリクローナル抗体、抗体フラグメント、および／またはキメラ抗体を含めた様々な種類の合成抗体でありうる。抗体は、検出できるようにラベルされていてもよく、または一つもしくは複数のさらなる種との反応後に、例えばラベルされた二次抗体もしくは検出可能な結果を生成できる二次抗体を使用して、検出できてもよい。ホスホＡｋｔに特異的な抗体は、Cell Signalingから市販されており、または当業者に周知の従来の抗体発生法により調製することができる。
【０１１８】
タンパク質分析の好ましい方法は、ＥＬＩＳＡ、質量分析技法、免疫組織化学法およびウエスタンブロッティング、より好ましくはＥＬＩＳＡ、ウエスタンブロッティングおよび免疫組織化学法、特に好ましくはウエスタンブロッティングおよび免疫組織化学法である。免疫ブロッティングとしても知られているウエスタンブロッティングでは、タンパク質レベルを判定するためにラベルされた抗体を使用することができ、ここで、検出可能なラベルからのシグナル強度は、タンパク質の量に対応し、例えばデンシトメトリーによって定量することができる。
【０１１９】
免疫組織化学法もまた、バイオマーカーの存在および相対量を検出するために、ラベルされた抗体を使用する。それは、バイオマーカーが存在する細胞のパーセンテージを判定するために使用することができる。それは、個々の細胞中のバイオマーカーの局在または相対量を判定するためにも使用することもでき、後者は染色強度の関数として見なされる。
【０１２０】
ＥＬＩＳＡが酵素結合免疫吸着アッセイを表すのは、特定タンパク質を検出するために、抗体または抗原に結合した酵素を使用するからである。ＥＬＩＳＡは、（方法に他の変更があるものの）典型的には以下のように行われる：９６ウェルプレートなどの固体基材に、バイオマーカーを認識する一次抗体をコーティングする。次に、結合したバイオマーカーは、バイオマーカーに特異的な二次抗体によって認識される。これは、酵素に直接結合していてもよく、または酵素に結合している第三の抗免疫グロブリン抗体を使用してもよい。基質を添加し、酵素が反応を触媒し、特定の色が生じる。この色の吸光度を測定することによって、バイオマーカーの存在および量を決定することができる。
【０１２１】
バイオマーカーの使用
バイオマーカーは、上記と同義の一般式Ｉで示される化合物または薬学的に許容されうるその誘導体に対する対象での疾患の固有耐性を予測するために使用することができる。
【０１２２】
バイオマーカーは、上記と同義の一般式Ｉで示される化合物または薬学的に許容されうるその誘導体を用いた処置について、疾患を、好ましくはガンを患うまたは患いやすい対象を選択するために使用することができる。そのようなバイオマーカーのレベルは、そのような薬剤を用いた処置に応答するまたは応答しない見込みの対象を同定するために使用することができる。対象の層別化は、不必要な処置計画を避けるために行うことができる。特に、バイオマーカーは、得られた一つまたは複数の試料または試料が標準レベルまたは標準レベルのセットに比べて高いホスホＡｋｔレベルを示さない対象を同定するために使用することができ、そこで、次に、上記と同義の式Ｉで示される化合物または薬学的に許容されうるその誘導体を用いた処置のために、そのような対象を選択することができる。
【０１２３】
バイオマーカーは、また、量および投与スケジュールに関する処置計画の決定を補助するために使用することができる。追加的に、バイオマーカーは、一般式Ｉで示される一つまたは複数の化合物または薬学的に許容されうるその誘導体、および一つまたは複数の別の化学療法（細胞毒性）剤を含む、対象に与えるべき薬物の組み合わせの選択を補助するために使用することができる。さらに、バイオマーカーは、一般式Ｉで示される化合物または薬学的に許容されうるその誘導体を、ターゲット療法、内分泌療法、放射線療法、免疫療法もしくは外科的介入、またはこれらの組み合わせと組み合わせて投与すべきかどうかを含めて、対象における治療戦略の決定を補助するために使用することができる。
【０１２４】
ホスホＡｋｔは、また、一般式Ｉで示される化合物または薬学的に許容されうるその誘導体に対する応答を予測するため、および処置計画を決定するために、他のバイオマーカーと組み合わせて使用することができる。さらにそれは、耐性を予測するためおよび処置計画を決定するために、化学感受性検査と組み合わせて使用することができる。化学感受性検査は、対象から、例えば血液悪性腫瘍またはアクセス可能な固形腫瘍、例えば乳ガン、頭頸部ガンもしくはメラノーマを有する対象から採取された細胞に、一般式Ｉで示される化合物を直接適用して、その化合物に対する細胞の応答を決定することを伴う。
【０１２５】
処置方法
本発明は、また、いくつかの局面では処置方法および処置方法に使用するためのホスホＡｋｔを含み、ここで、最初にホスホＡｋｔレベルが、標準レベルまたは標準レベルのセットに比べて定められ、次に、前記試料中のホスホＡｋｔレベルが標準値または標準値のセット以下であるならば、上記と同義の一般式Ｉで示される化合物または薬学的に許容されうるその誘導体が投与される。当業者に周知なように、式Ｉで示される化合物または薬学的に許容されうるその誘導体は、薬学的組成物中に入れて投与することができる。適切な組成物および薬用量は、例えば、国際公開公報第２００４／１０３９９４Ａ１号３５〜３９ページに開示されており、この公報は、参照により本明細書に具体的に組み入れられる。温血動物、特にヒトへの鼻腔内、口内、直腸または特に、経口投与などの経腸投与用、および静脈内、筋肉内または皮下投与などの非経口投与用の組成物が、特に好ましい。より詳細には、静脈内投与用の組成物が好ましい。
【０１２６】
組成物は、活性成分および薬学的に許容されうる担体を含む。組成物の一例には、非限定的に以下が含まれる：それぞれ一般式（Ｉ）で示される一化合物０．０５ｇを活性成分として含むゼラチン軟カプセル５０００個は、以下のように調製される：粉砕された活性成分２５０ｇをLauroglykol（登録商標）（ラウリン酸プロピレングリコール、Gattefosse S.A., Saint Priest, France）２リットル中に懸濁し、湿式微粉機で摩砕して粒子径約１〜３μmとする。次に、カプセル充填機を使用して混合物の０．４１９ｇ分量をゼラチン軟カプセル中に導入する。
【０１２７】
また一局面では、本発明は、最初に、標準レベルまたは標準レベルのセットに比べてより高いホスホＡｋｔレベルの試料を有する対象においてホスホＡｋｔレベルを減少させること、次に、上記と同義の一般式Ｉで示される化合物または薬学的に許容されうる誘導体を用いてその対象を処置することによる、腫瘍性疾患または自己免疫疾患、好ましくはガンを処置する方法に関する。ホスホＡｋｔレベルは、直接または間接的な化学的または遺伝的手段によって減少させることができる。そのような方法の例は、ホスホＡｋｔレベルの減少を生じる薬物を用いた処置、ウイルス構築物、プラスミド構築物、もしくはペプチド構築物のターゲット送達、またはホスホＡｋｔレベルをダウンレギュレーションするための抗体もしくはｓｉＲＮＡもしくはアンチセンスである。例えばｓｉＲＮＡは、発現されるリクター（rictor）のレベルを低下させ、したがって、ｍＴＯＲＣ２複合体の形成および活性を低下させ、それによって間接的にリン酸化Ａｋｔレベルを低下させるために使用することができる。次に、対象は、一般式Ｉで示される化合物または薬学的に許容されうるその誘導体を用いて処置することができる。
【０１２８】
一般式Ｉで示される化合物または薬学的に許容されうるその誘導体は、単独で、または一つもしくは複数の他の治療剤と組み合わせて投与することができる。可能性のある組み合わせ療法は、一定の組み合わせ、または本発明の化合物、および一つもしくは複数の他の治療剤の互い違いもしくは相互に独立した投与、または一定の組み合わせ、および一つもしくは複数の他の治療剤の組み合わせ投与の形態でありうる。一般式Ｉで示される化合物または薬学的に許容されうるその誘導体は、化学療法（細胞毒性）、ターゲット療法、内分泌療法、放射線療法、免疫療法もしくは外科的介入、またはこれらの組み合わせと組み合わせて、特に腫瘍療法のために、その上にまたは追加的に投与することができる。長期治療も、上記の他の処置戦略に関連した補助療法と同じく可能である。他の可能性のある処置は、腫瘍退縮後に患者の状態を維持するための治療、または例えばリスクのある患者での予防的化学療法でさえある。
【０１２９】
キットおよび装置
一局面では、本発明は、試料中のホスホＡｋｔレベルを測定するために必要な試薬を含む、好ましくは対象での疾患の、上記と同義の一般式Ｉで示される化合物または薬学的に許容されうるその誘導体に対する応答を予測するためのキットに、別の局面では装置に関する。好ましくは、試薬は、ホスホＡｋｔ用の検出体を含む捕捉試薬、および検出体試薬を含む。
【０１３０】
キットおよび装置は、また好ましくは、試料中のホスホＡｋｔレベルが比較される標準値または標準値のセットを含むコンパレーターモジュールを含みうる。好ましい一態様では、コンパレーターモジュールは、キットの使用説明に包含されている。別の好ましい態様では、コンパレーターモジュールは、ディスプレイ装置の形態、例えば、試料測定値の読み出し情報の隣に配置して抵抗レベルを表示するように設計された、カラーストリップまたは数値コード材料の形態である。標準値または標準値のセットは、上記のように決定することができる。
【０１３１】
試薬は、好ましくは、ホスホＡｋｔに選択的に結合する抗体または抗体フラグメントである。これらは、例えば、ホスホＡｋｔに結合する一つの特異的一次抗体、および一次抗体に結合する、それ自体検出用にラベルされている二次抗体の形態でありうる。一次抗体は、また、直接検出用にラベルされていてもよい。キットまたは装置は、洗浄後に他のバイオマーカーに比べて捕捉試薬に結合したバイオマーカーを選択的に保持させる洗浄溶液（一つまたは複数）も場合により収容しうる。次に、バイオマーカーのレベルを検出するために、そのようなキットを、ＥＬＩＳＡ、ウエスタンブロッティング、フローサイトメトリー、免疫組織化学法または他の免疫化学法に使用することができる。
【０１３２】
さらに、装置は、イメージング装置、または測定されたシグナルをさらに処理してシグナルをコンパレーターモジュール内のスケールに転送する測定装置（例えば、非限定的に蛍光測定）を含みうる。
【０１３３】
より好ましくは、キットは、上記と同義の一般式Ｉで示される化合物または薬学的に許容されうるその誘導体を含む。次に、この化合物は、キット中に含まれる試薬によって測定されるような対象からの試料中のバイオマーカーのレベルに応じて、対象に投与することができる。したがって、本発明によるキットは、上記と同義の本発明による処置方法に使用することができる。特に好ましい一態様では、キットは、次式で示される化合物または薬学的に許容されうるその塩を含む。
【０１３４】
【化２１】
2014512001.tif 000033
【０１３５】
キットの特に好ましい一態様では、薬学的に許容されうる塩は二塩酸塩である。別の局面では、本発明は、上記のようなキットの使用に関する。
【０１３６】
本明細書において、「含む（compriseもしくはcomprises）」または「含んでいる」という語句は、述べられた事項または事項の群の包含を意味するが、他の任意の事項または事項の群を除外することを意味しないと理解されたい。
【０１３７】
実験方法
培養細胞の免疫蛍光染色
Ａ５４９ヒト非小細胞肺ガン（ＮＳＣＬＣ、ＡＴＣＣ参照番号ＣＣＬ−１８５）細胞、ＨｅＬａ子宮頸ガン細胞（ＡＴＣＣ参照番号ＣＣＬ−２）およびＳＫＢＲ３乳ガン細胞（ＡＴＣＣ参照番号ＨＴＢ−３０）を丸形顕微鏡カバーグラス上に密度５０％で蒔き、１０％ＦＣＳ（ＦＢＳとも呼ぶ）を含有するＲＰＭＩ−１６４０中で５％ＣＯ２下、３７℃で２４時間培養した。被験化合物をＤＭＳＯ中に溶解させた。細胞培養培地を、希釈された化合物（一つまたは複数）（パクリタキセル、ビンブラスチン、コルヒチンおよびノコダゾールはSigma-Aldrichから購入した）またはビヒクルを含有する培地と交換した。図面の簡単な説明に示した時間だけ処置した後、カバーグラスを洗浄し、メタノール／アセトン（１：１）中で細胞を室温で５分間固定し、続いてブロッキング緩衝液（ＰＢＳ中に０．５％ＢＳＡおよび０．１％ＴＸ−１００）中にて室温で３０分間インキュベーションした。次に、ブロッキング緩衝液中で検体を抗α−チューブリン抗体（Sigma、１：２０００）と共に室温で１時間インキュベーションした。数回の洗浄工程の後に、AlexaFluor-488ヤギ抗マウスＩｇＧ（Molecular Probes、１：３０００）と共に細胞を室温で１時間インキュベーションし、続いてブロッキング緩衝液で数回の洗浄工程を行った。次に、ProLong Gold antifade（Molecular Probes）で検体をマウントし、マニキュア液で密封し、Leica免疫蛍光顕微鏡で観察した。冷却ＣＣＤカメラで画像を取得し、ImageJソフトウェアによって加工した。
【０１３８】
コロニー成長アッセイ：
患者由来腫瘍異種移植片（ヌードマウスで維持）の単一細胞懸濁物を調製した。コロニー成長アッセイのために、Hamburger & Salmon（Primary bioassay of human tumour stem cells, Science, 1977,197:461-463）によって導入されたアッセイにしたがって２４ウェルプレートに入れた軟寒天中に細胞を蒔いた。０．４％寒天含有培地０．２mL中の２×１０４〜６×１０４個細胞を０．７５％寒天基層上に蒔いた。被験化合物を培地０．２mLに加えた。各２４ウェルプレートは未処置対照および試料を３回繰り返しで含有した。培養物を７．５％ＣＯ２下、３７℃で５〜２８日間インキュベーションした。分析の２４時間前に、生存コロニーは、代謝可能なテトラゾリウム塩溶液（Alley MC et al、Life Sci. 1982, 31:3071-3078）で染色し、自動イメージ解析システム（Omnicon 3600, Biosys GmbH）で計数した。
【０１３９】
処置ウェルと対照ウェル中の平均コロニー数の比によって相対薬物作用を表現した。相対コロニー数に対して化合物濃度をプロットすることによってＩＣ７０値を決定した。
【０１４０】
タンパク質の抽出
５０mM ＨＥＰＥＳ（ｐＨ７．５）、１５０mM ＮａＣｌ、２５mM β−グリセロホスフェート、２５mM ＮａＦ、５mM ＥＧＴＡ、１mM ＥＤＴＡ、０．１％ＮＰ４０、１５mMピロホスフェート、２mMオルトバナジン酸ナトリウム、１０mMモリブデン酸ナトリウム、ロイペプチン（１０μg/mL）、アプロチニン（１０μg/mL）および１mM ＰＭＳＦを含有する氷冷緩衝液中に腫瘍を抽出した（腫瘍４５mgあたり抽出体積１mL）。Polytronによって均質化後に、溶解液を１％ＮＰ４０に調整し、氷上で２０分間インキュベーションした。溶解液を遠心分離によって透明化し、−８０℃で凍結した。
【０１４１】
免疫ブロッティング／ウエスタンブロッティング
免疫ブロッティングは、１レーンにつき合計タンパク質２０μgを使用して行った。タンパク質濃度は、BCA Protein Assay（Pierce)を用いて決定した。１０％ＳＤＳゲルでタンパク質を分離し、湿式ブロッティングを用いてＰＶＤＦメンブランに移行させた（４５分、２５０mA/ゲル）。免疫ブロッティングのために使用される一次抗体は、以下の通りであった：
ホスホＡｋｔ（セリン４７３）（Cell Signalling、参照番号９２７１から入手可能）、起源：ウサギポリクローナル抗体、希釈１：１０００、緩衝液の状態：０．５％ミルク／０．１％ｔｗｅｅｎを含有するＰＢＳ；
Ａｋｔタンパク質（Epitomics、参照番号１０８５−１から入手可能）、起源：ウサギモノクローナル抗体、希釈１：２０００、緩衝液の状態：０．５％ミルク／０．１％ｔｗｅｅｎを含有するＰＢＳ；
アクチン：（Chemicon、参照番号ＭＡＢ１５０１から入手可能）、起源：マウス、モノクローナル、希釈１：５０００、緩衝液の状態：０．５％ミルク／０．１％ｔｗｅｅｎを含有するＰＢＳ。
【０１４２】
免疫ブロッティングに使用される二次抗体は、ペルオキシダーゼ結合ヤギ抗ウサギまたはヤギ抗マウス抗体（Jackson ImmunoResearch Laboratories INC：参照番号１１１−０３５−１４４ＪＩＲおよび１１５−０３５−１４６ＪＩＲから入手可能）、希釈１：５０００、緩衝液の状態：ＰＢＳ／０．１％Ｔｗｅｅｎ中に０．５％ミルクであった。ラベルされたバンドは、Raytest Stella 3200 High Performance Imaging Systemを用いて明らかにした。
【０１４３】
免疫組織化学法
４％ホルムアルデヒドを含有する１０％中性緩衝ホルマリン中で患者由来腫瘍異種移植片（ヌードマウス中に維持）の固定を室温で２０〜２８時間行った。固定された検体を７０％エタノール溶液中で最大１週間保存してから、下述の条件を用いて標準手順にしたがって脱水およびパラフィン包埋を行った：
【０１４４】
【表６】
2014512001.tif 000034
【０１４５】
約２μmのパラフィン切片を切り出し、標準処理工程で動作している自動免疫染色装置Benchmark XT（登録商標）（Roche）を使用することによって処理した。特異的抗体染色の視覚化は、発色基質として濃度５mg/mLのＤＡＢ（３，３−ジアミノベンジジン）を用いて行った。染色のために、以下の一次抗体および処理条件を使用した：
【０１４６】
【表７】
2014512001.tif 000035
【０１４７】
詳細な実施例
実施例１：一般式Ｉで示される化合物によって誘導される異なる有糸分裂表現型
化合物Ａ（ＢＡＬ２７８６２）または化合物Ｂまたは化合物Ｃを用いた処置は、全ての被験腫瘍細胞系で高度に再現可能で別個の微小管表現型を誘導した（Ａ５４９細胞、ＨｅＬａ細胞およびＳＫＢＲ３細胞でのＢＡＬ２７８６２については図１に、Ａ５４９細胞での化合物Ｃおよび化合物Ｂについては図２に示す）。分裂中の細胞では、紡錘体の見かけの断片化が起こった結果、ドット様構造が形成した（図１）。この表現型は、微小管安定化剤パクリタキセルならびに微小管不安定化剤ビンブラスチンおよびコルヒチン（図３）およびノコダゾール（図４）などの従来の微小管ターゲティング剤で観察された表現型と異なることが示された。
【０１４８】
実施例２：ＢＡＬ２７８６２は、従来の微小管ターゲティング薬によって誘導される微小管表現型に優位に打ち勝つ
微小管に対するその活性の独特さを示すために、ＢＡＬ２７８６２をビンブラスチン、コルヒチンおよびパクリタキセル（図５）ならびにノコダゾール（図６）と組み合わせてＡ５４９細胞を用いて試験した。ビンブラスチン、コルヒチン、パクリタキセルまたはノコダゾール単独を用いた処置は、これらの薬剤に特徴的な有糸分裂微小管表現型を誘導した。しかし、最後の４時間にＢＡＬ２７８６２と組み合わせて処置した結果、微小管構造の破壊が生じ、ビンブラスチン、コルヒチン、パクリタキセルまたはノコダゾールが継続して存在するにもかかわらずＢＡＬ２７８６２単独処置に一致する表現型が生じた。対照的に、最初にＢＡＬ２７８６２で、続いてビンブラスチン、コルヒチン、パクリタキセルまたはノコダゾールと組み合わせて４時間処置することは、ＢＡＬ２７８６２処置に一致する、観察された微小管表現型に影響を及ぼさなかった。
【０１４９】
これらのデータは、式Ｉで示される化合物が微小管の生物学的性質に一貫して影響するが、従来の微小管ターゲティング剤とは異なる方法で影響することを実証している。
【０１５０】
本発明による詳細な実施例
実施例３：高いホスホＡｋｔ発現レベルと、ＢＡＬ２７８６２処置に耐性の患者由来腫瘍細胞との関連
コロニー成長アッセイに基づき、８人の患者から得られた、マウスでの異種移植片として維持した腫瘍から得られた腫瘍細胞を使用して、胃ガン、結腸直腸ガン、メラノーマ、および肺ガンからＢＡＬ２７８６２感受性腫瘍細胞または耐性腫瘍細胞を同定した（表１参照）。対照に比べて７０％の成長阻害が観察された濃度（ＩＣ７０）を表１に示す。この表では、ＢＡＬ２７８６２感受性腫瘍細胞は、低ナノモル濃度範囲のＩＣ７０値を有した細胞であり、一方でＢＡＬ２７８６２耐性腫瘍細胞は、＞６００ナノモル濃度のＩＣ７０値を有した。同じエキソビボアッセイを用いて、８種の腫瘍モデル中７種についてパクリタキセルおよびビンブラスチンのデータが入手可能であった。これらの７種のモデルのうち、全てがパクリタキセル処置に耐性であり、一方で６種がビンブラスチン処置に感受性であった。
【０１５１】
【表８】
2014512001.tif 000036
【０１５２】
異種移植片として維持された同じ腫瘍中のホスホＡｋｔ（リン酸化セリン−４７３を認識する抗体を使用）およびＡｋｔタンパク質のレベルを測定するために、免疫ブロッティング分析を行った。ローディング対照としてアクチンのレベルを免疫ブロットに含めた。
【０１５３】
ホスホＡｋｔレベルの分析から、ホスホＡｋｔレベルが腫瘍により異なることが示された（図７）。
【０１５４】
コロニー成長アッセイおよび同じＩＣ７０基準に基づき、パクリタキセルまたはビンブラスチン耐性と高いホスホＡｋｔ発現レベルとの間に関連はなかった（図７と表１を比較）。これは、例えば、胃ガンモデルで明らかである。ＧＸＦ２５１およびＧＸＦ９７はどちらもパクリタキセルに耐性であったものの、ＧＸＦ２５１についてホスホＡｋｔレベルは事実上検出不能であり、一方でＧＸＦ９７についてそのレベルは明らかにより高かった。同じ関連性欠如は、胃モデルにおいてビンカアルカロイドであるビンブラスチンに当てはまった。それは、これらの腫瘍の両方が、ビンブラスチン感受性であったからである。この関連性欠如は、メラノーマモデルおよび結腸直腸ガンモデルでも再現された。したがって、ホスホＡｋｔレベルは、患者由来腫瘍モデルにおける従来の微小管剤パクリタキセルおよびビンブラスチンに対する耐性の高信頼性バイオマーカーとしては不適当であることが示された。
【０１５５】
驚くことに、対照的に、コロニー成長アッセイによって定義されたＢＡＬ２７８６２耐性データをホスホＡｋｔレベルと比較した場合、同じ腫瘍組織型から得られた感受性腫瘍ではなく、耐性腫瘍でのみ、ホスホＡｋｔの発現がより高いことが示された（図７と表１を比較）。したがって、発現レベルの増加は、ＢＡＬ２７８６２耐性を一貫して示した。このように、ホスホＡｋｔレベルは、本発明による化合物ＢＡＬ２７８６２についての耐性のバイオマーカーであることが示された。
【０１５６】
実施例４：胃腫瘍異種移植片の免疫組織化学分析
胃腫瘍異種移植片に免疫組織化学分析を行い（図８）、腫瘍モデルＧＸＦ９７においてホスホＡｋｔがより高いレベルであることを明らかにした。今回も、より高いホスホＡｋｔレベルとＢＡＬ２７８６２耐性の間に明らかな相関が見られた（コロニー成長アッセイ、表１によって定義されたように、腫瘍モデルＧＸＦ９７はＢＡＬ２７８６２耐性であり、一方で、腫瘍モデルＧＸＦ２５１はＢＡＬ２７８６２感受性であった）。したがって、今回もホスホＡｋｔレベルは、本発明による化合物ＢＡＬ２７８６２についての耐性のバイオマーカーであることが示された。
【０１５７】
略語のリスト
Ａ５４９：ヒト非小細胞肺ガン細胞系
ＢＣＡ：ビシンコニン酸
ＢｒｄＵ：ブロモデオキシウリジン
ＢＳＡ：ウシ血清アルブミン
ＣＡ−１２５：ガン抗原
ＣＣＤ：電荷結合素子
ＣＲＥＳＴ：限局性強皮症症候群
ＤＡＢ：３，３−ジアミノベンジジン
ＤＭＳＯ：ジメチルスルホキシド
ＤＮＡ：デオキシリボ核酸
ｄＵＴＰ：２’−デオキシウリジン５’−三リン酸
ＥＤＴＡ：エチレンジアミン四酢酸
ＥＧＴＡ：エチレングリコール−ビス（β−アミノエチル）Ｎ，Ｎ，Ｎ’，Ｎ’−四酢酸
ＥＬＩＳＡ：酵素結合免疫吸着アッセイ
ＥＳＩ−ＭＳ：エレクトロスプレーイオン化質量分析
ＥｔＯＨ：エタノール
ＦＡＣＳ：蛍光標識細胞走査／分取
ＦＣＳ／ＦＢＳ：ウシ胎児血清
Ｇ２／Ｍ：細胞周期でのＧ２から有糸分裂期への移行
ＨｅＬａ：ヒト扁平細胞ガン細胞系
ＨＥＰＥＳ：４−（２−ヒドロキシエチル）ピペラジン−１−エタンスルホン酸
Ｈｏｅ３３３４２：２’−（４’−エトキシフェニル）−５−（４−メチルピペラジン−１−イル）−２，５’−ビス−１Ｈ−ベンズイミダゾール三塩酸塩三水和物
ＩＣ７０：シグナルの７０％が阻害される濃度
ＩｇＧ：免疫グロブリンＧ
ＩＨＣ：免疫組織化学法
ＩＳＥＴ：上皮腫瘍細胞のサイズによる単離
ＭＡＬＤＩ：マトリックス支援レーザー脱離／イオン化質量分析
ｍＴＯＲＣ２：哺乳類ラパマイシン標的タンパク質複合体２
ＭＴＳ：３−（４，５−ジメチルチアゾール−２−イル）−５−（３−カルボキシメトキシフェニル）−２−（４−スルホフェニル）−２Ｈ−テトラゾリウム
ＮａＦ：フッ化ナトリウム
ＮＣＢＩ：国立バイオテクノロジー情報センター
ＮＳＣＬＣ：非小細胞肺ガン
ＮＰ４０：ノニデットＰ４０
ＰＢＳ：リン酸緩衝食塩水
Ｐ−ｇｐ：Ｐ−糖タンパク質
ＰＫＢ：プロテインキナーゼＢ
ＰＭＳＦ：フェニルメチルスルホニルフルオリド
ＰＳＡ：前立腺特異抗原
ＰＶＤＦ：フッ化ポリビニリデン
ＲＡＣ：ＡおよびＣキナーゼ関連タンパク質
ＲＡＮＯ：高悪性度神経膠腫に関する応答判定
ＲＥＣＩＳＴ：固形腫瘍での応答評価基準
ＲＩＣＴＯＲ：ｍＴＯＲのラパマイシン非感受性コンパニオン
ＲＰＭＩ−１６４０：トランスフォーメーションおよび非トランスフォーメーションされた真核細胞および真核細胞系を培養するために使用される細胞培養培地
ＳＤＳ：ドデシル硫酸ナトリウム
SEQ. ID No.：配列番号
ｓｉＲＮＡ：低分子阻害性リボ核酸
ＳＫＢＲ３：ヒト乳ガン細胞系
ＴＵＮＥＬ：末端デオキシヌクレオチドトランスフェラーゼｄＵＴＰのニック末端ラベリング
Ｔｗｅｅｎ：非イオン系洗剤
ＹＯ−ＰＲＯ：蛍光モノマー性シアニン核酸染色
【図１】
2014512001.tif 000043
【図２】
2014512001.tif 000044
【図３】
2014512001.tif 000045
【図４】
2014512001.tif 000046
【図５】
2014512001.tif 000047
【図６】
2014512001.tif 000048
【図８】
2014512001.tif 000049
【図７Ａ】
2014512001.tif 000050
【図７Ｂ】
2014512001.tif 000051
【図７Ｃ】
2014512001.tif 000052
【図７Ｄ】
2014512001.tif 000053
【図９】
2014512001.tif 000054
【図１０】
2014512001.tif 000055
【図１１】
2014512001.tif 000056
【配列表】
2014512001000001.app
【国際調査報告】
2014512001.tif 000057
2014512001.tif 000058
2014512001.tif 000059